(57)【特許請求の範囲】
【請求項１】
サイト間協調で通信を指揮するように動作可能なネットワークセルのセットを識別すること、
前記識別されたネットワークセルのセットに関連づけられていない１以上のネットワークセルからの受信電力の量を測定すること、
前記識別されたネットワークセルのセット中の１以上のネットワークセルに、前記受信電力の測定量を報告すること、および
前記ネットワークセルの少なくともサブセットから通信を受けること、ここで前記サブセットは前記報告された受信電力の測定量に基づく協調スキームに従って協調される
を備える、ユーザ機器ユニットにより実行される方法。
【請求項２】
前記識別されたネットワークセルのセット中のそれぞれのネットワークセルに対応するチャネルに関連づけられたチャネル品質を観察すること、
観察されたチャネル品質の１以上の報告を、それぞれ対応するネットワークセルに提供すること、および
前記ネットワークセルのセットの少なくともサブセットから通信を受信すること、ここで、前記サブセットは前記１以上の提供された報告に基づく協調スキームに従い協調される、
をさらに備える、請求項１に記載の方法。
【請求項３】
前記測定することが、主干渉ネットワークセルを識別することを備え、
前記報告することが、前記主干渉ネットワークセルの識別を、前記識別されたネットワークセルのセット中の前記１以上のネットワークセルに報告することを備える、
請求項１に記載の方法。
【請求項４】
前記方法が、複数の送信アンテナをそれぞれが備える１以上の干渉ネットワークセルを識別することをさらに備え、
前記測定することが、前記１以上の干渉ネットワークセルのそれぞれの送信アンテナの間の相関を計算することを備え、
前記報告することが、前記１以上の干渉ネットワークセルのそれぞれの送信アンテナの間の前記計算された相関に関する情報を、前記識別されたネットワークセルのセット中の前記１以上のネットワークセルに報告することを備える、
請求項１に記載の方法。
【請求項５】
前記１以上の干渉ネットワークセルが、主要干渉ネットワークセルを備える、請求項４に記載の方法。
【請求項６】
前記報告することが、
前記１以上の干渉ネットワークセルのそれぞれの送信アンテナの間の前記計算された相関に基づいて、前記１以上の干渉ネットワークセルに対して利用可能な干渉ヌル化の量を判定すること、
前記判定された量の利用可能な干渉ヌル化の適用に基づいて、予想速度を推定すること、および
前記識別されたネットワークセルのセット中の前記１以上のネットワークセルに、前記予想速度を報告すること
をさらに備える、請求項４に記載の方法。
【請求項７】
前記報告することが、
複数の関連づけられた受信アンテナを識別すること、
前記複数の関連づけられた受信アンテナを介して、前記１以上の干渉ネットワークセルに対して利用可能な受信機干渉ヌル化の量を判定すること、および
受信機干渉ヌル化の前記判定された量を、前記識別されたネットワークセルのセット中の前記１以上のネットワークセルに報告すること
をさらに備える、請求項４に記載の方法。
【請求項８】
受信機干渉ヌル化の前記判定された量を前記報告することが、
前記判定された量の受信機干渉ヌル化の適用に基づいて、予想速度を推定すること、および
前記識別されたネットワークセルのセット中の前記１以上のネットワークセルに前記予想速度を報告すること
を備える、請求項７に記載の方法。
【請求項９】
前記報告することが、
受信電力の前記測定量に基づいて、予想速度を推定すること、および
前記識別されたネットワークセルのセット中の前記１以上のネットワークセルに、前記予想速度を報告すること
を備える、請求項１に記載の方法。
【請求項１０】
前記報告することが、レイヤ１（Ｌ１）シグナリングを用いて、前記識別されたネットワークセルのセット中の前記１以上のネットワークセルに前記受信電力の測定量を報告することを備える、請求項１に記載の方法。
【請求項１１】
前記報告することが、レイヤ３（Ｌ３）シグナリングを用いて、前記識別されたネットワークセルのセット中の前記１以上のネットワークセルに受信電力の測定量を報告することを備える、請求項１に記載の方法。
【請求項１２】
前記測定することが、前記識別されたネットワークセルのセットに関連づけられていないそれぞれのネットワークセルからブロードキャストされる基準信号または同期信号の１以上に関連づけられた受信電力の量を測定することを備える、請求項１に記載の方法。
【請求項１３】
前記測定することが、
ネットワークセルからブロードキャストされる基準信号または同期信号の少なくとも一方の中の負荷インジケータを識別すること、
前記負荷インジケータに基づいて、前記ネットワークセルの負荷を判定すること、および
前記ネットワークセルの負荷に応じて、前記ネットワークセルによって引き起こされる干渉を推定すること
をさらに備える、請求項１２に記載の方法。
【請求項１４】
負荷インジケータを前記識別することが、基準信号または同期信号の少なくとも一方のプリアンブル中の負荷インジケータを識別することを備える、請求項１３に記載の方法。
【請求項１５】
前記測定することが、前記識別されたネットワークセルのセットに関連づけられていないそれぞれのネットワークセルによって伝達される基準シグナリング、一次同期信号（ＰＳＳ）、二次同期信号（ＳＳＳ）、または低再利用プリアンブル（ＬＲＰ）シグナリングの少なくとも１つに関連づけられた受信電力の量を測定することを備える、請求項１に記載の方法。
【請求項１６】
サイト間協調で通信を指揮するように動作可能なサービングネットワークセルのセットに関するデータを格納するメモリと、
前記サービングネットワークセルのセットに関連づけられていないそれぞれのネットワークセルからの受信電力の量を測定し、前記サービングネットワークセルのセット中の前記１以上のサービングネットワークセルに前記受信電力の測定量を報告するように構成されたプロセッサとを備え、
前記プロセッサは前記ネットワークセルの少なくともサブセットから通信を受けるように構成され、ここで前記サブセットは前記報告された受信電力の測定量に基づく協調スキームに従って協調される
ワイヤレス通信装置。
【請求項１７】
前記プロセッサが、それぞれのサービングネットワークセルに対応するチャネルの品質を分析し、分析されたチャネル品質の１以上の報告を、それぞれ対応するサービングネットワークセルに提供するようにさらに構成される、請求項１６に記載のワイヤレス通信装置。
【請求項１８】
前記メモリが、１以上の干渉ネットワークセルに関するデータをさらに格納し、前記１以上の干渉ネットワークセルがそれぞれ複数の送信アンテナを備え、
前記プロセッサが、前記１以上の干渉ネットワークセルのそれぞれの送信アンテナの間の相関を計算し、それぞれの干渉ネットワークセルの送信アンテナの間のそれぞれの計算された相関を前記１以上のサービングネットワークセルに報告するようにさらに構成される、
請求項１６に記載のワイヤレス通信装置。
【請求項１９】
前記１以上の干渉ネットワークセルが、主要干渉ネットワークセルを備える、請求項１８に記載のワイヤレス通信装置。
【請求項２０】
前記プロセッサが、それぞれの干渉ネットワークセルの送信アンテナの間のそれぞれの計算された相関に基づいて前記１以上の干渉ネットワークセルに対して利用可能な干渉ヌル化の量を判定し、前記判定された量の利用可能な干渉ヌル化の適用に関連づけられた予想速度を推定し、前記予想速度を前記１以上のサービングネットワークセルに報告するようにさらに構成される、請求項１８に記載のワイヤレス通信装置。
【請求項２１】
前記メモリが、複数の関連づけられた受信アンテナに関するデータをさらに格納し、
前記プロセッサが、前記複数の関連づけられた受信アンテナを介して前記１以上の干渉ネットワークセルに対して利用可能な受信機干渉ヌル化の量を判定し、受信機干渉ヌル化の前記判定された量を前記１以上のサービングネットワークセルに報告するようにさらに構成される、
請求項１８に記載のワイヤレス通信装置。
【請求項２２】
前記プロセッサが、前記判定された量の受信機干渉ヌル化の適用に基づいて予想通信速度を推定し、前記予想通信速度を前記１以上のサービングネットワークセルに報告することによって、受信機干渉ヌル化の前記判定された量を暗黙的に報告するようにさらに構成される、請求項２１に記載のワイヤレス通信装置。
【請求項２３】
前記プロセッサが、レイヤ１（Ｌ１）シグナリングまたはレイヤ３（Ｌ３）シグナリングの少なくとも一方を使って、前記受信電力の測定量を前記１以上のサービングネットワークセルに報告するようにさらに構成される、請求項１６に記載のワイヤレス通信装置。
【請求項２４】
前記プロセッサが、前記ネットワークセルからブロードキャストされる基準信号または同期信号の少なくとも１つに基づいて、前記サービングネットワークセルのセットに関連づけられていないネットワークセルからの受信電力の量を測定するようにさらに構成される、請求項１６に記載のワイヤレス通信装置。
【請求項２５】
前記プロセッサが、ネットワークセルによってブロードキャストされる基準信号または同期信号の少なくとも１つの中で与えられる負荷インジケータを識別し、前記負荷インジケータに従って前記ネットワークセルの負荷を判定し、前記ネットワークセルによって引き起こされる干渉を前記ネットワークセルの負荷に応じて推定するようにさらに構成される、請求項２４に記載のワイヤレス通信装置。
【請求項２６】
前記負荷インジケータが、基準信号または同期信号のプリアンブル中で与えられる、請求項２５に記載のワイヤレス通信装置。
【請求項２７】
前記プロセッサが、前記ネットワークセルによって伝達され前記ワイヤレス通信装置によって検出される、基準シグナリング、一次同期信号（ＰＳＳ）、二次同期信号（ＳＳＳ）、または低再利用プリアンブル（ＬＲＰ）シグナリングの少なくとも１つに基づいて、ネットワークセルからの受信電力の量を測定するようにさらに構成される、請求項１６に記載のワイヤレス通信装置。
【請求項２８】
サイト間協調で通信を指揮するように動作可能なネットワークセルのセットを識別するための手段と、
前記識別されたネットワークセルのセットに関連づけられていない１以上のネットワークセルからの受信電力の量を計測するための手段と、
前記識別されたネットワークセルのセット中の１以上のネットワークセルに前記計測された受信電力の量を報告するための手段と、
前記ネットワークセルの少なくともサブセットから通信を受ける手段、ここで前記サブセットは前記報告された受信電力の測定量に基づく協調スキームに従って協調される
を備えるユーザ機器ユニット。
【請求項２９】
前記識別されたネットワークセルのセット中の前記１以上のネットワークセルに対応するチャネルに関連づけられたチャネル品質を観察するための手段と、
観察されたチャネル品質の１以上の報告を、それぞれ対応するネットワークセルに提供するための手段と、
前記ネットワークセルのセットの少なくともサブセットから通信を受信するための手段、ここで、前記サブセットは前記１以上の提供された報告に基づく協調スキームに従い協調される、
をさらに備える、請求項２８に記載のユーザ機器ユニット。
【請求項３０】
前記ユーザ機器ユニットが、複数の送信アンテナを有する１以上の干渉ネットワークセルを識別するための手段をさらに備え、
報告するための前記手段が、前記１以上の干渉ネットワークセルのそれぞれの送信アンテナの間の相関を、前記識別されたネットワークセルのセット中のそれぞれのネットワークセルに報告するための手段を備える、
請求項２８に記載のユーザ機器ユニット。
【請求項３１】
報告するための前記手段が、
前記それぞれの干渉ネットワークセルの送信アンテナの間の計算された相関に基づいて、それぞれの干渉ネットワークセルに対して干渉ヌル化の利用可能な量を判定するための手段と、
前記利用可能な量の干渉ヌル化の適用に関連づけられた予想通信速度を推定するための手段と、
前記予想通信速度を、前記識別されたネットワークセルのセット中の前記１以上のネットワークセルに報告するための手段と
をさらに備える、請求項３０に記載のユーザ機器ユニット。
【請求項３２】
報告するための前記手段が、
複数の関連づけられた受信アンテナを識別するための手段と、
前記複数の関連づけられた受信アンテナを介して、それぞれの干渉ネットワークセルに対して受信機干渉ヌル化の利用可能な量を判定するための手段と、
前記判定された量の受信機干渉ヌル化の適用に関連づけられた予想通信速度を推定するための手段と、
前記予想通信速度を、前記識別されたネットワークセルのセット中の前記１以上のネットワークセルに報告するための手段と
をさらに備える、請求項３０に記載のユーザ機器ユニット。
【請求項３３】
報告するための前記手段が、レイヤ１（Ｌ１）シグナリングまたはレイヤ３（Ｌ３）シグナリングの少なくとも一方を用いて１以上の報告を前記識別されたネットワークセルのセット中の前記１以上のネットワークセルに提供するための手段を備える、請求項２８に記載のユーザ機器ユニット。
【請求項３４】
前記ネットワークセルからブロードキャストされる基準信号または同期信号の少なくとも１つに基づいてネットワークセルに対応する受信電力の量を測定するための手段をさらに備える、請求項２８に記載のユーザ機器ユニット。
【請求項３５】
測定するための前記手段が、
前記ネットワークセルからブロードキャストされる基準信号または同期信号の少なくとも１つの中の負荷インジケータを識別するための手段と、
前記負荷インジケータに基づいて前記ネットワークセルの負荷を判定するための手段と、
前記ネットワークセルによって引き起こされる干渉を前記ネットワークセルの負荷に応じて推定するための手段と
を備える、請求項３４に記載のユーザ機器ユニット。
【請求項３６】
測定するための前記手段が、前記ネットワークセルによって伝達される基準シグナリング、一次同期信号（ＰＳＳ）、二次同期信号（ＳＳＳ）、または低再利用プリアンブル（ＬＲＰ）シグナリングの少なくとも１つに基づいて、前記ネットワークセルに対応する受信電力の量を測定するための手段を備える、請求項３４に記載のユーザ機器ユニット。
【請求項３７】
サイト間協調で通信を指揮するように動作可能なネットワークセルのセットをコンピュータに識別させるコードと、
前記識別されたネットワークセルのセットに関連づけられていない１以上のネットワークセルからの受信電力の量を計測するためのコードと、
前記識別されたネットワークセルのセット中の１以上のネットワークセルに、前記計測された受信電力の量を、コンピュータに報告させるコードと、
前記ネットワークセルの少なくともサブセットから通信を受けさせるコード、ここで前記サブセットは前記報告された受信電力の測定量に基づく協調スキームに従って協調される
を記憶するコンピュータ可読記憶媒体。
【請求項３８】
前記コンピュータ可読記憶媒体が、
前記識別されたネットワークセルのセット中の前記１以上のネットワークセルに対応するチャネルに関連づけられたチャネル品質をコンピュータに観察させるコードと、
コンピュータに、観察されたチャネル品質の１以上の報告を、前記識別されたネットワークセルのセット中のそれぞれ対応するネットワークセルに提供させるコードと、
前記ネットワークセルのセットの少なくともサブセットから通信を受信するためのコード、ここで、前記サブセットは前記１以上の提供された報告に基づく協調スキームに従い協調される、
をさらに記憶する、請求項３７に記載のコンピュータ可読記憶媒体。
【請求項３９】
前記コンピュータ可読記憶媒体が、複数の送信アンテナを有する１以上の干渉ネットワークセルをコンピュータに識別させるコードをさらに記憶し、
コンピュータに報告させるコードが、コンピュータに、前記１以上の干渉ネットワークセルのそれぞれの送信アンテナの間の相関を、前記識別されたネットワークセルのセット中のそれぞれのネットワークセルに報告させるコードを備える、
請求項３７に記載のコンピュータ可読記憶媒体。
【請求項４０】
コンピュータに報告させる前記コードが、コンピュータに、レイヤ１（Ｌ１）シグナリングまたはレイヤ３（Ｌ３）シグナリングの少なくとも一方を用いて１以上の報告を前記識別されたネットワークセルのセット中の前記１以上のネットワークセルに提供させるコードを備える、請求項３７に記載のコンピュータ可読記憶媒体。
【請求項４１】
前記コンピュータ可読記憶媒体が、前記ネットワークセルからブロードキャストされる基準信号または同期信号の少なくとも１つに基づいてネットワークセルに対応する受信電力の量をコンピュータに測定させるコード
をさらに記憶する、請求項３７に記載のコンピュータ可読記憶媒体。
【請求項４２】
コンピュータに測定させる前記コードが、
コンピュータに、前記ネットワークセルからブロードキャストされる基準信号または同期信号中で与えられる負荷インジケータに基づいて、前記ネットワークセルの負荷を判定させるコードと、
コンピュータに、前記ネットワークセルによって引き起こされる干渉を、前記ネットワークセルの負荷に応じて推定させるコードと
を備える、請求項４１に記載のコンピュータ可読記憶媒体。
【請求項４３】
コンピュータに測定させる前記コードが、コンピュータに、前記ネットワークセルによって伝達される基準シグナリング、一次同期信号（ＰＳＳ）、二次同期信号（ＳＳＳ）、または低再利用プリアンブル（ＬＲＰ）シグナリングの少なくとも１つに基づいて、前記ネットワークセルに対応する受信電力の量を測定させるコードを備える、請求項４１に記載のコンピュータ可読記憶媒体。
【請求項４４】
１以上の関連づけられたユーザ機器ユニット向けの干渉報告スケジュールを規定すること、
前記干渉報告スケジュールにおいてそれぞれのヌルパイロット間隔をスケジュールすること、
前記干渉報告スケジュールにおいてスケジュールされたヌルパイロット間隔が出現すると、制限された送信を指揮すること、
ヌルパイロットの出現に続いて、前記１以上の関連するユーザ機器ユニットから干渉フィードバックを受信すること、および
前記受信した干渉フィードバックに基づいて、ユーザ機器ユニットでの通信のために、それぞれのネットワークセルに渡って使用されるべき協調スキームを選択すること
を備える、ネットワークセルにより実施される方法。
【請求項４５】
前記制限された送信を指揮することが、前記スケジュールされたヌルパイロット間隔が出現すると送信を抑制することを備える、請求項４４に記載の方法。
【請求項４６】
前記制限された送信を指揮することが、前記スケジュールされたヌルパイロット間隔が出現すると予め規定された電力バックオフ値だけ送信電力を削減することを備える、請求項４４に記載の方法。
【請求項４７】
前記１以上の関連するユーザ機器ユニットから、１以上の観察されたチャネル品質の報告を受信すること、および
前記受信した１以上の報告に基づいて、ユーザ機器ユニットの通信のために、それぞれのネットワークセルに渡って使用されるべき協調スキームを選択すること
をさらに備える、請求項４４に記載の方法。
【請求項４８】
１以上のユーザ機器ユニットに関するデータおよび前記１以上のユーザデバイスに関連づけられた干渉報告スケジュールを格納するメモリと、
それぞれのヌルパイロット間隔と実質的に同時に起こる通信に対して制限が実施されるように前記干渉報告スケジュールにおいて１以上のヌルパイロット間隔を規定し、ヌルパイロットの出現に続いて前記１以上の関連するユーザ機器ユニットから干渉フィードバックを受信し、前記受信した干渉フィードバックに基づいてユーザ機器ユニットでの通信のためにそれぞれのネットワークセルに渡って使用されるべき協調スキームを選択するように構成されたプロセッサと
を備えるワイヤレス通信装置。
【請求項４９】
前記プロセッサが、前記それぞれのヌルパイロット間隔と実質的に同時に起こるそれぞれの送信を抑制するようにさらに構成される、請求項４８に記載のワイヤレス通信装置。
【請求項５０】
前記プロセッサが、前記それぞれのヌルパイロット間隔と実質的に同時に起こるそれぞれの送信の送信電力を削減するようにさらに構成される、請求項４８に記載のワイヤレス通信装置。
【請求項５１】
１以上の関連づけられたユーザ機器ユニット向けの干渉報告スケジュールを規定するための手段、ここで前記干渉報告スケジュールは１以上のヌルパイロットを含む、と、
前記干渉報告スケジュールにおいてそれぞれのヌルパイロットが出現すると、送信抑制または送信電力バックオフの少なくとも一方を実施するための手段と、
ヌルパイロットの出現に続いて前記１以上の関連するユーザ機器ユニットから干渉フィードバックを受信するための手段と、
前記受信した干渉フィードバックに基づいてユーザ機器ユニットでの通信のためにそれぞれのネットワークセルに渡って使用されるべき協調スキームを選択するための手段と
を備えるネットワークセル。
【請求項５２】
前記１以上の関連するユーザ機器ユニットから１以上の観察されたチャネル品質の報告を受信するための手段と、
前記受信した１以上の報告に基づいてユーザ機器ユニットの通信のためにそれぞれのネットワークセルに渡って使用されるべき協調スキームを選択するための手段と
をさらに備える、請求項５１に記載のネットワークセル。
【請求項５３】
１以上の関連づけられたユーザ機器ユニット向けの干渉報告スケジュールをコンピュータに規定させるコード、ここで前記干渉報告スケジュールは１以上のヌルパイロットを含む、と、
前記干渉報告スケジュールにおいてそれぞれのヌルパイロットが出現する際に送信抑制または送信電力バックオフの少なくとも一方をコンピュータに指揮させるコードと、
ヌルパイロットの出現に続いて前記１以上の関連するユーザ機器ユニットから干渉フィードバックを受信するためのコードと、
前記受信した干渉フィードバックに基づいてユーザ機器ユニットでの通信のためにそれぞれのネットワークセルに渡って使用されるべき協調スキームを選択するためのコードと
を記憶するコンピュータ可読記憶媒体。
【請求項５４】
前記コンピュータ可読記憶媒体が、
前記１以上の関連するユーザ機器ユニットから１以上の観察されたチャネル品質の報告を受信するためのコードと、
前記受信した１以上の報告に基づいてユーザ機器ユニットの通信のためにそれぞれのネットワークセルに渡って使用されるべき協調スキームを選択するためのコードと
をさらに記憶する、請求項５３に記載のコンピュータ可読記憶媒体。
【発明の詳細な説明】
【技術分野】
【０００１】
本出願は、２００８年１０月２４日に出願した、「INTERFERENCE REPORTING FOR N-MIMO SYSTEMS」という名称の米国特許仮出願第６１／１０８，２７８号、および２００９年３月２３日に出願した、「INTERFERENCE REPORTING FOR N-MIMO SYSTEMS」という名称の米国特許仮出願第６１／１６２，６１３号の利益を主張する。上記出願は、参照によってその全体が本明細書に組み込まれる。
【０００２】
本開示は、一般的にワイヤレス通信に関し、より詳細には、ワイヤレス通信環境において複数のネットワークノードに渡る協調通信をサポートする技法に関する。
【背景技術】
【０００３】
様々な通信サービスを提供するために、ワイヤレス通信システムが広く展開されており、たとえば、音声、ビデオ、パケットデータ、ブロードキャスト、およびメッセージサービスを、このようなワイヤレス通信システムにより提供することができる。こうしたシステムは、利用可能なシステムリソースを共有することによって、複数の端末向けの通信をサポートすることが可能な多重アクセスシステムとすることができる。このような多重アクセスシステムの例は、符号分割多重アクセス（ＣＤＭＡ）システム、時分割多重アクセス（ＴＤＭＡ）システム、周波数分割多重アクセス（ＦＤＭＡ）システム、および直交周波数分割多重アクセス（ＯＦＤＭＡ）システムを含む。
【０００４】
高速およびマルチメディアデータサービスを求める要望が急速に高まるにつれ、性能が強化された、効率的であり堅牢な通信システムの実装に向けた努力が続けられている。たとえば、近年、ユーザは、固定回線通信を移動体通信で置き換え始めており、優れた音声品質、信頼できるサービス、および低価格を益々要望するようになっている。現在用意されている移動電話網に加えて、新たなクラスの小規模基地局が出現しており、こうした基地局は、ユーザの家庭に設置され、既存のブロードバンドインターネット接続を用いて、移動ユニットに屋内ワイヤレス受信圏を提供することができる。このような私設小型基地局は、一般的に、アクセスポイント基地局、または代替的には、ホームノードＢ（ＨＮＢ）もしくはフェムトセルとして知られている。通常、このような小型基地局は、ディジタル加入者線（ＤＳＬ）ルータ、ケーブルモデムなどを介して、インターネットおよび移動通信事業者のネットワークに接続される。
【０００５】
ワイヤレス通信システムは、一連のワイヤレスアクセスポイントを含むように構成することができ、アクセスポイントは、システム内のそれぞれの場所をカバーし得る。このようなネットワーク構造は一般的にセルラーネットワーク構造と呼ばれ、アクセスポイントおよび／またはアクセスポイントがそれぞれネットワーク内でサービス提供する場所は一般的にセルと呼ばれる。
【０００６】
さらに、多重入出力（ＭＩＭＯ）通信システムでは、（たとえば、それぞれのアンテナに対応する）複数のソースおよび／または宛先が、通信システム内のデバイスの間でのデータ、制御シグナリング、および／または他の情報の送受信に使用され得る。ＭＩＭＯ通信システムに関連したそれぞれの送信に複数のソースおよび／または宛先を使用すると、一部のケースでは、単入力および／または単出力通信システムを上回る比較的高いデータレート、信号品質の改良、およびそれ以外のこのような利点を生じることが分かっている。ＭＩＭＯ通信システムの一例は、ネットワークＭＩＭＯ（Ｎ−ＭＩＭＯ）または協調マルチポイント（ＣｏＭＰ）システムであり、このシステムでは、複数のネットワークノードが協力して、たとえばユーザ機器ユニット（ＵＥ）など、１つまたは複数の受信デバイスと情報を交換することができる。
【０００７】
Ｎ−ＭＩＭＯ通信システム内のネットワークノードの間の協調は、様々なネットワークパラメータ、協調が指揮される対象であるユーザデバイスに関するパラメータ、および／または他の適切な要因に基づいて、１つまたは複数の協調戦略に従って指揮され得る。したがって、Ｎ−ＭＩＭＯ通信システムにおける多ノード協調に関連づけられたシステム性能利得を向上するために、干渉および／または他のネットワークパラメータに対応するフィードバック報告を生成し処理する技法を実装することが望ましいであろう。
【発明の概要】
【０００８】
以下では、請求項に記載する主題の様々な態様の基本的な理解のために、このような態様の簡略化した要約を提示している。この要約は、企図したすべての態様の包括的な概要ではなく、このような態様の主要または重大な要素を同定することも、その範囲を定めることも意図していない。その唯一の目的は、後で提示するより詳細な説明の前置きとして、開示する態様のいくつかの概念を、簡略化した形で提示することである。
【０００９】
ある態様によると、方法が本明細書に記載される。この方法は、サイト間協調で通信を指揮するように動作可能なネットワークセルのセットを識別すること、識別されたネットワークセルのセットに関連づけられていないそれぞれのネットワークセルからの受信電力の量を測定すること、および識別されたネットワークセルのセット中の１つまたは複数のネットワークセルに、受信電力の測定量を報告することを備え得る。
【００１０】
本明細書に記載する第２の態様は、ワイヤレス通信装置に関し、この装置は、ノード間協調で通信を指揮するように動作可能なサービングネットワークノードのセットに関するデータを格納するメモリを備え得る。このワイヤレス通信装置は、サービングネットワークノードセットに関連づけられていないそれぞれのネットワークノードからの受信電力の量を測定し、１つまたは複数のサービングネットワークノードに受信電力の測定量を報告するように構成されたプロセッサをさらに備え得る。
【００１１】
第３の態様は装置に関し、この機器は、ノード間協調を用いて、アップリンク通信またはダウンリンク通信の少なくとも一方を実施するように動作可能な、関連づけられたネットワークノードのセットを識別するための手段と、関連づけられたネットワークノードセットに関連づけられていないそれぞれのネットワークノードに対応する受信電力の量を報告するための手段とを備え得る。
【００１２】
第４の態様はコンピュータプログラム製品に関し、この製品は、コンピュータに、ノード間協調を用いて、アップリンク通信またはダウンリンク通信の少なくとも一方を実施するように動作可能な、関連づけられたネットワークノードのセットを識別させるコードと、コンピュータに、関連づけられたネットワークノードセットに関連づけられていないそれぞれのネットワークノードに対応する受信電力の量を報告させるコードとを備えるコンピュータ可読媒体を備え得る。
【００１３】
本明細書に記載する第５の態様は方法に関し、この方法は、１つまたは複数の関連づけられたユーザ機器ユニット（ＵＥ）向けの干渉報告スケジュールを規定すること、干渉報告スケジュールにおいてそれぞれのヌルパイロット間隔をスケジュールすること、および干渉報告スケジュールにおいてスケジュールされたヌルパイロット間隔が出現すると、制限送信を指揮することを備え得る。
【００１４】
本明細書に記載する第６の態様はワイヤレス通信装置に関し、この装置は、１つまたは複数のユーザデバイスに関するデータおよび１つまたは複数のユーザデバイスに関連づけられた干渉報告スケジュールを格納するメモリを備え得る。このワイヤレス通信装置は、それぞれのヌルパイロット間隔と実質的に同時に起こる通信に対して制限が実施されるように、干渉報告スケジュールにおいてそれぞれのヌルパイロット間隔を規定するように構成されたプロセッサをさらに備え得る。
【００１５】
第７の態様は装置に関し、この装置は、それぞれの関連づけられたユーザデバイス向けの干渉報告スケジュールを規定するための手段であって干渉報告スケジュールが１つまたは複数のヌルパイロットを含む手段と、干渉報告スケジュールにおいてそれぞれのヌルパイロットが出現すると送信抑制（transmit silencing）または送信電力バックオフの少なくとも一方を実施するための手段とを備え得る。
【００１６】
第８の態様はコンピュータプログラム製品に関し、この製品は、コンピュータにそれぞれの関連づけられたユーザ機器ユニット（ＵＥ）向けの干渉報告スケジュールを規定させるコードであって干渉報告スケジュールが１つまたは複数のヌルパイロットを含むコードと、コンピュータに干渉報告スケジュールにおいてそれぞれのヌルパイロットが出現すると送信抑制または送信電力バックオフの少なくとも一方を指揮させるコードとを備えるコンピュータ可読媒体を備え得る。
【００１７】
上記の目的および関連する目的を達成するために、請求項に記載する主題の１つまたは複数の態様は、これ以降で十分に説明するとともに請求項において具体的に示す特徴を備える。以下の説明および添付の図面では、請求項に記載する主題の特定の例示的な態様を詳細に説明する。ただし、こうした態様は、請求項に記載する主題の原理が利用され得る様々な方法のごくわずかを示すに過ぎない。さらに、開示する態様は、このようなすべての態様およびその等価物を含むことを意図している。
【図面の簡単な説明】
【００１８】
【図１】様々な態様による、Ｎ−ＭＩＭＯ通信システムにおけるフィードバック生成および報告のためのシステムを示すブロック図。
【図２】様々な態様による、分散型ワイヤレス通信環境において観察される干渉に関する測定を実施し報告するシステムを示すブロック図。
【図３】様々な態様による、関連づけられたワイヤレス通信システムによって使用されるリソースセットに渡る干渉の測定および報告を容易にするシステムを示すブロック図。
【図４】様々な態様による、ワイヤレス通信環境におけるユーザデバイスによる干渉の観察および測定を容易にするそれぞれのシステムを示すブロック図。
【図５】様々な態様による、ワイヤレス通信環境におけるユーザデバイスによる干渉の観察および測定を容易にするそれぞれのシステムを示すブロック図。
【図６】Ｎ−ＭＩＭＯ通信システムにおける干渉測定および報告のためのそれぞれの方式を示す流れ図。
【図７】Ｎ−ＭＩＭＯ通信システムにおける干渉測定および報告のためのそれぞれの方式を示す流れ図。
【図８】Ｎ−ＭＩＭＯ通信システムにおける干渉測定および報告のためのそれぞれの方式を示す流れ図。
【図９】Ｎ−ＭＩＭＯ通信システムにおける干渉報告スケジュールを管理する方式を示す流れ図。
【図１０】ワイヤレス通信システムにおける、干渉情報の報告および処理を容易にするそれぞれの装置を示すブロック図。
【図１１】ワイヤレス通信システムにおける、干渉情報の報告および処理を容易にするそれぞれの装置を示すブロック図。
【図１２】本明細書に記載する様々な態様による、協調マルチポイント通信を容易にするそれぞれのシステム例を示すブロック図。
【図１３】本明細書に記載する様々な態様による、協調マルチポイント通信を容易にするそれぞれのシステム例を示すブロック図。
【図１４】本明細書で説明する様々な態様によるワイヤレス通信システム例を示す図。
【図１５】本明細書に記載する様々な態様がその中で機能し得るワイヤレス通信システム例を示すブロック図。
【図１６】ネットワーク環境においてアクセスポイント基地局の展開を可能にする通信システム例を示す図。
【詳細な説明】
【００１９】
ここで、請求項に記載する主題の様々な態様を、図面を参照して記載するが、同じ参照番号が、全体を通して同じ要素を指すのに使われている。以下の記述では、説明目的で、多数の具体的詳細を、１つまたは複数の態様の完全な理解のために説明する。ただし、このような態様（１つまたは複数）は、こうした具体的詳細なしで実施され得ることが明らかであろう。他の事例では、１つまたは複数の態様を説明しやすくするために、公知の構造およびデバイスをブロック図の形で示す。
【００２０】
本出願において使われる「構成要素」、「モジュール」、「システム」などの用語は、ハードウェア、ファームウェア、ハードウェアおよびソフトウェアの組合せ、ソフトウェア、または実行中のソフトウェアのいずれかの、コンピュータ関連エンティティを指すことを意図している。たとえば、構成要素は、プロセッサ上で稼動するプロセス、集積回路、オブジェクト、実行可能ファイル、実行スレッド、プログラム、および／またはコンピュータでよいが、これらに限定されない。例として、コンピューティングデバイス上で稼動するアプリケーションおよびそのコンピューティングデバイス両方が構成要素となり得る。１つまたは複数の構成要素が実行プロセスおよび／またはスレッド中に存在してよく、構成要素は、１台のコンピュータにローカライズしてよい、および／または２台以上のコンピュータの間に分散してよい。さらに、こうした構成要素は、様々なデータ構造が格納された様々なコンピュータ可読媒体から実行し得る。構成要素は、ローカルおよび／またはリモートプロセスによって、たとえば、１つまたは複数のデータパケット（たとえば、ローカルシステム、分散型システム内の別の構成要素と、および／またはインターネットなどのネットワークを介して信号により他のシステムと対話するある構成要素からのデータ）をもつ信号により、通信することができる。
【００２１】
さらに、様々な態様を、ワイヤレス端末および／または基地局に関連して本明細書に記載する。ワイヤレス端末は、ユーザに音声および／またはデータ接続性を提供するデバイスを指し得る。ワイヤレス端末は、ラップトップコンピュータやデスクトップコンピュータなどのコンピューティングデバイスに接続することができる、または携帯情報端末（ＰＤＡ）などの自蔵デバイスにもなれる。ワイヤレス端末は、システム、加入者ユニット、加入者局、移動局、移動体、リモートステーション、アクセスポイント、リモート端末、アクセス端末、ユーザ端末、ユーザエージェント、ユーザデバイス、またはユーザ機器（ＵＥ）とも呼ばれ得る。ワイヤレス端末は、加入者局、ワイヤレスデバイス、セルラー電話、ＰＣＳ電話、コードレス電話、セッション開始プロトコル（ＳＩＰ）電話、ワイヤレスローカルループ（ＷＬＬ）ステーション、携帯情報端末（ＰＤＡ）、ワイヤレス接続能力を有するハンドヘルドデバイス、またはワイヤレスモデムに接続された他の処理デバイスでよい。基地局（たとえば、アクセスポイントやノードＢ）は、エアインターフェースにより、１つまたは複数のセクタを経由してワイヤレス端末と通信するアクセスネットワーク内のデバイスを指し得る。基地局は、受信したエアインターフェースフレームをＩＰパケットに変換することによって、ワイヤレス端末と、インターネットプロトコル（ＩＰ）ネットワークを含み得るアクセスネットワークのそれ以外のものとの間のルータとして作用し得る。基地局はまた、エアインターフェース用の属性の管理を調整する。
【００２２】
さらに、本明細書に記載する様々な機能は、ハードウェア、ソフトウェア、ファームウェア、またはこれらの任意の組合せで実装され得る。ソフトウェアで実装される場合、機能は、１つまたは複数の命令またはコードとしてコンピュータ可読媒体に格納することも、媒体を介して送信することもできる。コンピュータ可読媒体は、ある場所から別の場所へのコンピュータプログラムの転送を容易にするどの媒体も含むコンピュータ記憶媒体および通信媒体両方を含む。記憶媒体は、コンピュータによってアクセスされ得る利用可能な任意の媒体であることができる。限定ではなく例として、このようなコンピュータ可読媒体は、ＲＡＭ、ＲＯＭ、ＥＥＰＲＯＭ、ＣＤ−ＲＯＭもしくは他の光ディスク記憶デバイス、磁気ディスク記憶デバイスもしくは他の磁気記憶デバイス、または所望のプログラムコードを命令もしくはデータ構造の形で搬送もしくは格納するのに使われ、コンピュータによってアクセスされ得る他のどの媒体も備え得る。また、どの接続も、コンピュータ可読媒体と呼ばれるのが適切である。たとえば、ソフトウェアが、同軸ケーブル、光ファイバケーブル、ツイストペア、ディジタル加入者線（ＤＳＬ）、または赤外線、ラジオ、およびマイクロ波などのワイヤレス技術を使ってウェブサイト、サーバ、または他のリモートソースから送信される場合、同軸ケーブル、光ファイバケーブル、ツイストペア、ＤＳＬ、または赤外線、ラジオ、およびマイクロ波などのワイヤレス技術は、媒体の定義に含まれる。本明細書で使用するディスク（disk）およびディスク（disc）は、コンパクトディスク（ＣＤ）（登録商標）、レーザディスク（登録商標）、光ディスク、ディジタル多用途ディスク（ＤＶＤ）（登録商標）、フロッピー（登録商標）ディスク、およびブルーレイ（登録商標）ディスク（ＢＤ）を含み、ディスク（disk）は通常はデータを磁気的に再現し、ディスク（disc）は、データをレーザで光学的に再現する。上記の組合せも、コンピュータ可読媒体の範囲内に含まれるべきである。
【００２３】
本明細書に記載する様々な技法が、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム、単一キャリアＦＤＭＡ（ＳＣ−ＦＤＭＡ）システム、および他のこのようなシステムなど、様々なワイヤレス通信システムのために用いられ得る。「システム」および「ネットワーク」という用語はしばしば、本明細書では入れ替えて用いられる。ＣＤＭＡシステムは、たとえばユニバーサル地上無線アクセス（ＵＴＲＡ）、ＣＤＭＡ２０００などの無線技術を実装することができる。ＵＴＲＡは、広帯域ＣＤＭＡ（Ｗ−ＣＤＭＡ）およびＣＤＭＡの他の変形体を含む。さらに、ＣＤＭＡ２０００は、ＩＳ−２０００、ＩＳ−９５およびＩＳ−８５６標準をカバーする。ＴＤＭＡシステムは、汎ヨーロッパディジタル移動通信システム（Global System for Mobile Communications（ＧＳＭ（登録商標）））などの無線技術を実装し得る。ＯＦＤＭＡシステムは、たとえば次世代ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）などの無線技術を実装し得る。ＵＴＲＡおよびＥ−ＵＴＲＡは、万国移動通信システム（ＵＭＴＳ）の一部である。３ＧＰＰロングタームエボリューション（ＬＴＥ）は、Ｅ−ＵＴＲＡを用いる、近く公開されるリリースであり、Ｅ−ＵＴＲＡは、ダウンリンクではＯＦＤＭＡを、アップリンクではＳＣ−ＦＤＭＡを利用する。ＵＴＲＡ、Ｅ−ＵＴＲＡ、ＵＭＴＳ、ＬＴＥおよびＧＳＭは、「第３世代パートナーシッププロジェクト」（３ＧＰＰ）という名称の組織から出ている文書に記載されている。さらに、ＣＤＭＡ２０００およびＵＭＢは、「第３世代パートナーシッププロジェクト２」（３ＧＰＰ２）という名称の組織から出ている文書に記載されている。
【００２４】
様々な態様を、いくつかのデバイス、構成要素、モジュールなどを含み得るシステムに関して提示する。様々なシステムは、追加のデバイス、構成要素、モジュールなどを含んでよく、および／または図面に関連して論じるデバイス、構成要素、モジュールなどのすべては含まなくてよいことを理解されたい。こうした手法の組合せも用いてもよい。
【００２５】
ここで図面を参照すると、図１は、様々な態様による、ネットワーク多重入出力（ネットワークＭＩＭＯまたはＮ−ＭＩＭＯ）通信システムにおけるフィードバック生成および報告のためのシステム１００を示す。図１に示すように、システム１００は、ＵＥ１１０を含んでよく、ＵＥ１１０は、１つまたは複数のサービングセル１２０および／またはＵＥ１１０用の「サービングセット」１０２に関連づけられた他の適切なネットワークノードと通信し得る。たとえば、ＵＥ１１０は、それぞれのサービングセル１２０への１つまたは複数のアップリンク（ＵＬ、逆方向リンク（ＲＬ）とも呼ばれる）通信を指揮することができ、サービングセル（１つまたは複数）１２０は、ＵＥ１１０への１つまたは複数のダウンリンク（ＤＬ、順方向リンク（ＦＬ）とも呼ばれる）通信を指揮することができる。
【００２６】
一例では、サービングセット１０２は、可能性としてはＵＥ１１０にサービス提供するのに使用され得るすべてのネットワークノードを含み得る。このようなすべてのネットワークセルは、システム１００において「サービングセル」１２０とラベルづけされるが、ＵＥ１１０は、所与の任意の時点で、すべてのサービングセル１２０と通信することができ、すべてのサービングセル１２０より小さいサブセットと通信することができ、またはどのサービングセル１２０とも通信しなくてよいことを理解されたい。さらに、システム１００は、ＵＥ１１０にサービスを提供しない１つまたは複数の非サービングセル１３０を含み得る。一例では、それぞれのサービングセル１２０および／または非サービングセル１３０は、マクロセル、フェムトセル（たとえば、アクセスポイント基地局やホームノードＢ（ＨＮＢ））、および／または他の適切な任意のカバーエリアに関連づけられたエリアなど、適切な任意のカバーエリア（１つまたは複数）向けの通信圏に対応し得る、および／またはその通信圏を提供し得る。
【００２７】
一態様によると、システム１００は、１つもしくは複数のＮ−ＭＩＭＯ、協調マルチポイント（ＣｏＭＰ）、および／または単一のＵＥ１１０が異種の複数のサービングセル１２０と通信することを可能にする他の技法を使用し得る。一例では、Ｎ−ＭＩＭＯ通信は、サービングセル１２０の間の協調のための適切な任意の戦略または戦略の組合せを用いて、アップリンクおよび／またはダウンリンクにおいて指揮され得る。このような戦略は、たとえば、抑制（silencing）、周波数再利用、協調ビーム形成（ＣＢＦ）、ジョイント送信（ＪＴ）、および／または本明細書に記載する、および／または概して当該分野において公知である他の適切などの協力戦略も含み得る。
【００２８】
別の態様によると、サービングセル１２０は、所与のＵＥ１１０、システム１００、他のサービングセル１２０などに関する様々なパラメータをＵＥ１１０から受信し得る。このようなフィードバックは、サービングセル１２０にあるフィードバック処理モジュール１２２および／または他の適切な機構によって処理することができ、それに基づいて、協調戦略セレクタ１２４は、ＵＥ１１０との通信用に、サービングセット１０２中の複数のサービングセル１２０に渡って使用されるべき協調戦略を判定し得る。
【００２９】
所与のＵＥに対して単一のサービングセルを使用する従来のワイヤレス通信システムでは、ＵＥが、チャネル品質インジケータ（ＣＱＩ）を含むフィードバックを報告し得る。ＵＥによって提供されるＣＱＩフィードバックは、たとえば、ＵＥに関連づけられたサービングセルからの信号電力と、他のすべてのセルからの干渉電力との比によって表現することができる。この情報に基づいて、単一サービングセルシステム内のセルは、対応するＵＥ向けに達成され得る速度の有効指示を確かめることが可能になり得る。
【００３０】
ただし、対照的に、（たとえば、干渉とは反対に）所与のＵＥ１１０によって観察される信号に寄与するサービングセルセット１２０は、一部のケースでは所定でない場合があることが理解されよう。たとえば、ＵＥ１１０は、様々なＵＥ固有パラメータおよび／またはネットワークパラメータに応じて、単一のセルまたは複数のセルによってサービス提供され得る。さらに、サービングセット１０２が所与のＵＥ１１０に対して所定である場合、サービングセット１０２中のそれぞれのサービングセル１２０によって利用される協調戦略は、一部のケースでは時間とともに（たとえば、異なるときに異なるビーム方向を使用することによって、および／または他の任意のやり方で）変わり得ることがさらに理解できよう。したがって、サービングセット１０２中のサービングセル１２０の構成および／またはこのようなサービングセル１２０の間で使用されるべき協調戦略をＵＥ１１０に前もって意識させない場合、ＵＥ１１０は、一部のケースでは、その達成可能速度を計算することができない場合がある。これにより、ＵＥ１１０用のそれぞれのサービングセル１２０は、協調戦略選択を実施する際に困難に直面し得ることが理解されよう。その結果、ＣＱＩは、一部のケースでは、それぞれのサービングセル１２０によって行われるスケジューリングおよび／または協調決定に実質的に依存する場合があり、そうすることによって、従来のＣＱＩメトリックが、一部のケースでは、Ｎ−ＭＩＭＯ通信における協調戦略選択には不十分になることがさらに理解できよう。
【００３１】
一態様によると、ＵＥ１１０は、すべての非サービングセル１３０（たとえば、関連づけられたサービングセット１０２中にないすべてのネットワークセル）から観察される合計または総干渉を（たとえば、それぞれ干渉測定モジュール１１２および干渉報告モジュール１１４を介して）測定し報告することによって、少なくとも上で言及した従来のＣＱＩ報告の短所を緩和し得る。したがって、たとえば、ＵＥ１１０が、可能性としてはセルＡおよびセルＢの一方または両方によってサービス提供され得る場合、干渉報告モジュール１１４および／または別の適切な機構が、ＵＥ１１０によって、セルＡ、Ｂを除くすべてのセルから、（たとえば、干渉測定モジュール１１２および／または他の適切な機構によって測定される）受信電力を報告するのに使用され得る。
【００３２】
別の態様によると、上で与えられたＵＥ１１０からの複合干渉報告を受信するサービングセル１２０は、フィードバック処理モジュール１２２および／または他の適切な任意の手段によりフィードバックを処理することができ、これに基づいて、協調戦略セレクタ１２４は、ＵＥ１１０用の複数のサービングセル１２０に渡って使用されるべき協調スキームの選択およびスケジューリングを容易にし得る。たとえば、様々な協調スキームの下での達成可能なチャネル品質に関する、ＵＥ１１０によって提供される干渉情報および／または他の適切な情報に基づいて、協調戦略セレクタ１２４は、ノード間協力のための適切な戦略（たとえば、サイト間パケット共有、協調送信干渉ヌル化など）を選択し、続いて、選択された協力戦略に準じて、ＵＥ１１０との通信用に１つまたは複数のサービングセル１２０をスケジュールし得る。
【００３３】
さらに別の態様によると、ＵＥ１１０はさらに、または代替的には、任意選択のノード別チャネル分析モジュール１１６およびチャネル報告モジュール１１８を含んでよく、こうしたモジュールは、それぞれのサービングセル１２０に対応するチャネル条件に対応する情報を測定し、報告するのにそれぞれ使用され得る。したがって、たとえば、チャネル報告モジュール１１８は、それぞれのサービングセル１２０に対応するダウンリンクチャネルの観察強度および／またはサービングセル１２０に対応するダウンリンクチャネルの他の任意の品質インジケータに対応するフィードバックを、それぞれのサービングセル１２０に与え得る。
【００３４】
一例では、上記のようにしてチャネル報告モジュール１１８によって提供されるノード別チャネル情報は、それぞれのサービングセルにあるフィードバック処理モジュール１２２および／または協調戦略セレクタ１２４によって、協調戦略選択および／またはスケジューリングへの一層の微調整を容易にするのに使用され得る。たとえば、協調戦略セレクタ１２４は、それぞれのサービングセル１２０に対応する観察ダウンリンクチャネル強度を識別し、このような情報を使用して、関連づけられたＵＥ１１０との通信に対する、それぞれのサービングセル１２０の起こり得る干渉衝撃を概算し得る。したがって、協調戦略セレクタ１２４は、報告された干渉およびチャネル情報を使用して、ＵＥ１１０で観察される干渉を最小限にするため、全体のシステムスループットを最大限にするため、および／またはシステム１００内部で他の適切な利点を達成するために、協調スキームおよびそれとともに使用されるべきサービングセル１２０の組合せを識別し得る。説明のための具体例として、サービングセル１２０の間の協力スキームとして協調ビーム形成を選択すると、協調戦略セレクタ１２４は、関連づけられたＵＥ１１０からビーム形成し、それに従ってスケジューリング決定を行うようにそれぞれのサービングセルに命令した結果として生じるであろうチャネル品質を判定し得る。別の例では、協調戦略セレクタ１２４は、ＵＥ１１０によって提供されるフィードバックを使用して、所与のリソースセットにおいてＵＥ１１０への送信に使用されるべきパケットサイズを選択し得る。
【００３５】
別の例では、協調戦略セレクタ１２４は、ＵＥ１１０から取得されるフィードバックを使用して、ＵＥ１１０との通信に使用されるべきノードのクラスタリングおよび／またはスケジューリングを容易にし得る。たとえば、ＵＥ１１０に関するチャネル条件、バッファ状態、および／または他のパラメータに基づいて、ＵＥ１１０向けのサービングセット１０２中のそれぞれのサービングセル１２０は、サービングＵＥ１１０向けの協力戦略にクラスタリングされ得る、またはスケジュールされ得る。さらに、協調戦略セレクタ１２４によって実施されるクラスタリングは、ＵＥ１１０に関連づけられたそれぞれのサービングセル１２０および／またはいくつかのサービングセル１２０の識別が、変化するネットワーク条件に基づいてリアルタイムで修正され得るように、動的にされ得る。さらに、または代替的には、クラスタリングされたそれぞれのセルが所与のＵＥ１１０に関して協力する際の方法は、継続的に監視されるネットワーク条件に基づいて動的に割り当てられ得る。たとえば、所与のときにＵＥ１１０に関連づけられたサービングセル１２０は、ＵＥ１１０に対して能動的に送信するよう、ＵＥ１１０からビーム形成するよう、（たとえば、所望の干渉削減量に基づく明示的電力バックオフ要求または暗黙的要求に基づいて）現在の送信電力をバックオフするよう、および／または他の適切な任意のやり方でＵＥ１１０に関して協力するよう、命令され得る。
【００３６】
ここで図２に移ると、様々な態様による、分散型ワイヤレス通信環境において観察される干渉に関する測定を実施し報告するシステム２００が示されている。一例では、システム２００は、干渉測定モジュール１１２を含んでよく、モジュール１１２は、ユーザデバイス（たとえば、ＵＥ１１０）および／または別の適切なネットワークデバイスによって、それぞれの干渉測定を実施するのに利用され得る。干渉測定モジュール１１２によって干渉情報が生成されると、情報は続いて、干渉報告モジュール１１４によって（たとえば、それぞれのサービングセル１２０に）報告され得る。
【００３７】
一態様によると、干渉測定モジュール１１２は、主干渉源識別モジュール２１２および／または他の適切な手段を使用して、かなりの干渉が観察される１つまたは複数のネットワークエンティティを識別することができる。識別されると、観察された主干渉源に関する情報は、関連干渉報告に含めるために干渉報告モジュール１１４に与えられ得る。
【００３８】
さらに、または代替的には、干渉測定モジュール１１２は、相関アナライザ２１４を含んでよく、アナライザ２１４は、観察される干渉の相関の報告を識別し容易にし得る。たとえば、主干渉源識別モジュール２１２が単一の干渉源のみを識別し、干渉源は、複数の送信アンテナをもつと判定された場合、相関アナライザ２１４は、干渉源の送信アンテナの間の相関を計算するのに使用され得る。別の例では、干渉測定モジュール１１２に関連づけられたデバイスが複数の受信アンテナをもつ場合、このデバイスは、一部のケースでは、単一干渉源から観察される一部または全部の干渉をヌル化するように構成され得る。このような受信機干渉ヌル化は、たとえば、干渉測定モジュールに関連づけられたデバイスによって使用される受信機実装（たとえば、最小平均二乗誤差（ＭＭＳＥ）など）に基づいて実施され得る。一態様によると、干渉報告モジュール１１４は、明示的または暗黙的に（たとえば、任意選択の速度予想モジュール２２２によって判定される、ヌル化に続いて達成され得る速度の形で）、分析された相関に関する情報を報告し得る。
【００３９】
別の例では、所与のネットワークセルが相関アンテナ（たとえば、波長の約半分の間隔をあけられたアンテナ）をもち、セルに関連づけられたチャネルが実質的に頻繁に変わるが、大幅な角拡散を示さない場合、相関アナライザ２１４は、チャネルに対応する長期間のコヒーレンス行列を測定し、干渉報告モジュール１１４による、対応するセルへのコヒーレンス行列の報告を容易にし得る。したがって、コヒーレンス行列が、たとえば低ランク行列である場合、行列を受信するネットワークセルおよび／または他のエンティティは、完全なチャネル情報が欠如していても、システム２００に関連づけられたデバイスへの、および／またはデバイスからのビームの方向づけを容易にし得ることが理解されよう。
【００４０】
一態様によると、干渉測定モジュール１１２によって行われ、干渉報告モジュール１１４によって報告される干渉推定は、明示的または暗黙的にそれぞれのネットワークセルに与えられ得る。たとえば、任意選択の速度予想モジュール２２２および／または他の適切な手段により、たとえば、所与のあるサービングセルのみが送信中であるときに達成され得る速度を推定することによって、暗黙的干渉報告が構築され得る。さらに、干渉報告モジュール１１４は、専用の物理層チャネルを介して、既存の物理層（たとえば、レイヤ１、すなわちＬ１）シグナリングチャネル（たとえば、物理アップリンク制御チャネル（ＰＵＣＣＨ））を使って、レイヤ３（Ｌ３）シグナリングにより、および／または他の適切などのやり方（１つまたは複数）でも、それぞれのネットワークセルにフィードバックを提供し得る。
【００４１】
別の態様によると、干渉報告モジュール１１４によって報告される干渉推定は、関連づけられた通信システム向けに指定される周波数帯域幅全体に対応してよく、あるいは干渉フィードバックは、リソースユニット毎の単位（たとえば、サブフレームごと、サブバンドごとなど）で変化するように構成してよい。これは、図３のブロック図３００によって示され、干渉測定モジュール１１２によって生成される干渉推定値セット３１２および／または干渉報告モジュール１１４によって伝達される干渉報告３２２は、Ｋ個のリソースユニット（たとえば、サブフレーム、サブバンド、リソースブロックなど）からなるセットに対応するように構造化され得る。
【００４２】
さらに別の態様によると、それぞれの非サービングセル１３０からの干渉は、ＵＥ１１０によって様々なやり方で計算することができる。干渉観察および測定のためにＵＥ１１０によって指揮され得る技法のそれぞれの例が、図４〜５のシステム４００〜５００によって示される。最初に図４のシステム４００を具体的に参照すると、ＵＥ１１０に関連づけられたサービングセル１２０は、ヌルパイロット管理モジュール４１２および／または他の適切な任意の手段を使用して、関連づけられた通信タイムライン中に「ヌルパイロット」期間を規定することができる。一例では、ヌルパイロット管理モジュール４１２は、関連づけられたサービングセル１２０から追加信号エネルギーがほとんど、または全く放射されることなく、予め規定されたヌルパイロット期間でのそれぞれの非サービングセル１３０からの干渉信号を、関連づけられたＵＥ１１０が観察できるようにするために、それぞれ予め規定されたヌルパイロット間隔での送信抑制、送信電力バックオフ、および／または他の適切な任意の操作を容易にし得る。
【００４３】
さらに、または代替的には、ＵＥ１１０にある干渉測定モジュール１１２および／または他の適切な手段は、プリアンブル、基準信号、同期信号（たとえば、一次同期信号（ＰＳＳ）および／もしくは二次同期信号（ＳＳＳ））、および／またはそれぞれの非サービングセル１３０によってブロードキャストされる他の信号の信号強度を分析して、非サービングセル１３０に関連づけられた干渉を計算することができる。したがって、図５のシステム５００で示すように、非サービングセル１３０にある同期信号ジェネレータ５２２および／または他の適切な手段は、１つまたは複数の基準および／または同期信号をブロードキャストするのに使用することができ、それに基づいて、ＵＥ１１０は、非サービングセル１３０に関連づけられた干渉を推定することができる。
【００４４】
システム５００によって示される別の態様によると、干渉測定モジュール１１２は、それぞれの非サービングセル１３０によって提供される負荷情報を活用して、非サービングセル１３０に対応する干渉推定を微調整することができる。具体的には、非サービングセル１３０は、負荷インジケータモジュール５２４を含んでよく、モジュール５２４は、プリアンブルチャネル（たとえば、低再利用プリアンブル（ＬＲＰ）チャネル）および／または別の適切なチャネルにおいて非サービングセル１３０の負荷の指示をブロードキャストすることができ、これに基づいて、ＵＥ１１０にあるセル負荷アナライザ５１２および／または他の適切な手段は、非サービングセル１３０に対する負荷ベースの干渉推定値を計算することができる。別の例では、このような負荷指示は、マスタ情報ブロック（ＭＩＢ）に入れて与えられ、１つまたは複数の関連づけられたシステム情報ブロック（ＳＩＢ）に入れて与えられ、ＰＳＳとＳＳＳとの、および／または連続ＰＳＳおよび／もしくはＳＳＳインスタンスの間の相対位相に基づいて暗黙的に与えられ、かつ／あるいは他の適切な任意のやり方で与えられ得る。
【００４５】
一例では、負荷インジケータモジュール５２４によって与えられる負荷インジケータは、関連づけられたセル１３０によってサービスを受けるべきトラヒックの存在を反映するバイナリインジケータでよい。具体例として、セル１３０に関連づけられた負荷インジケータがセットされていると判定すると、セル負荷アナライザ５１２は、セル１３０がその正常電力を帯域幅全体に渡って送信中であるという仮定の下で、干渉推定値の計算を容易にし得る。あるいは、負荷インジケータがセットされていない場合、セル負荷アナライザ５１２は、どの送信もセル１３０から指揮されていないという仮定の下で、干渉計算を容易にし得る。代替例では、たとえば、関連づけられたセル１３０による帯域幅および／もしくは電力の使用の平均百分率および／または他の適切な任意のインジケータ（１つもしくは複数）を伝えることができる多ビット負荷インジケータが使用され得る。一例では、このような負荷インジケータは、セル負荷アナライザ５１２によって、対応するセル１３０からの有効干渉寄与を計算するのに使用され得る。
【００４６】
ここで図６〜９を参照すると、本明細書で説明する様々な態様に従って実施することができる方式が示されている。説明を簡単にするために、方式は、一連の作用として示し説明するが、方式は作用の順序によって限定されないことを理解されたい。というのは、いくつかの作用は、１つもしくは複数の態様によって異なる順序で起こることもある、および／または本明細書において示し説明する他の作用と同時に起こることもあるからである。たとえば、方式は、状態図でのように、相関する一連の状態またはイベントとしても表され得ることが当業者には理解されよう。さらに、図示するすべての作用が、１つまたは複数の態様による方式を実装するのに求められるわけではない。
【００４７】
図６を参照すると、Ｎ−ＭＩＭＯ通信システムにおける干渉測定および報告のための方式６００が示されている。方式６００は、たとえば、ユーザデバイス（たとえば、ＵＥ１１０）および／または他の適切などのネットワークデバイスによっても実施され得ることを理解されたい。方式６００は、ブロック６０２で始まってよく、ここで、アップリンクおよび／またはダウンリンク通信のためのサイト間協調を実施するように動作可能なネットワークセル（たとえば、サービングセル（１つまたは複数）１２０）のセット（たとえば、サービングセット１０２）が識別される。次に、ブロック６０４で、ブロック６０２で識別されたネットワークセルのセットに関連づけられていないそれぞれのネットワークセル（たとえば、非サービングセル（１つまたは複数）１３０）からの受信電力の量が（たとえば、干渉測定モジュール１１２により）測定される。ブロック６０６で、ブロック６０４で測定された受信電力の測定量は次いで、ブロック６０２で識別されたセット中の１つまたは複数のネットワークセルに（たとえば、干渉報告モジュール１１４を使って）報告され得る。
【００４８】
ブロック６０６で記載した作用を完了すると、方式６００は完結してよい。あるいは、方式は、任意選択で、完結に先立ってブロック６０８、６１０に進んでよい。ブロック６０８で、ブロック６０２で識別されたセット中のネットワークセルに対応するそれぞれのチャネルに関連づけられたチャネル品質が（たとえば、ノード別チャネル分析モジュール１１６によって）観察される。ブロック６１０で、ブロック６０８で観察されたチャネル品質の１つまたは複数の報告が、それぞれの対応するネットワークセルに（たとえば、チャネル報告モジュール１１８を使って）与えられる。
【００４９】
次に図７に移ると、ワイヤレス通信システムにおける干渉報告のために相関データを活用する方式７００の流れ図が示されている。方式７００は、たとえばＵＥおよび／または他の適切などのネットワークエンティティによっても実施され得る。方式７００はブロック７０２で始まり、ここで、複数の送信アンテナを有する１つまたは複数の主干渉ネットワークエンティティ（たとえば、ネットワークセル１２０および／または１３０）が（たとえば、主干渉源識別モジュール２１２を使って）識別される。ブロック７０４で、ブロック７０２で識別された１つまたは複数の主干渉ネットワークエンティティのそれぞれの送信アンテナの間の相関が（たとえば、相関アナライザ２１４により）計算される。方式７００は次いで、ブロック７０６で完結してよく、ここで、ブロック７０４で計算された相関が、少なくとも１つのサービングネットワークノードに報告される。
【００５０】
図８は、ワイヤレス通信システムにおける干渉報告のためにノード負荷データを活用する方式８００を示す。方式８００は、たとえば、移動局および／または他の適切などのネットワークエンティティによっても実施され得る。方式８００はブロック８０２で始まり、ここで、１つまたは複数の干渉ネットワークノードが識別される。次に、ブロック８０４で、ブロック８０２で識別されたそれぞれの干渉ネットワークノードの負荷が、干渉ネットワークノードによって（たとえば、負荷インジケータモジュール５２４を介して）与えられる負荷インジケータに少なくとも部分的に基づいて（たとえば、セル負荷アナライザ５１２を使って）判定される。方式８００は次いで、ブロック８０６で完結してよく、ここで、それぞれの干渉ネットワークノードによって引き起こされる干渉が、ブロック８０４で判定されたその負荷に応じて推定される。
【００５１】
次に図９を参照すると、Ｎ−ＭＩＭＯ通信システムにおける干渉報告スケジュールを管理する方式９００が示されている。方式９００は、たとえば、ネットワークノード（たとえば、サービングセル１２０）および／または他の適切などのネットワークエンティティによっても実施され得ることを理解されたい。方式９００はブロック９０２で始まってよく、ここで、１つまたは複数の関連ＵＥ（たとえば、ＵＥ１１０）向けの干渉報告スケジュールが規定される。次に、ブロック９０４で、それぞれのヌルパイロット間隔が、ブロック９０２で規定された干渉報告スケジュールにおいて（たとえば、ヌルパイロット管理モジュール４１２によって）スケジュールされる。方式９００は次いで、ブロック９０６で完結してよく、ここで、方式９００を実施するエンティティによる送信が、ブロック９０４でスケジュールされたそれぞれのヌルパイロット間隔が出現すると制限される、および／または抑制される。
【００５２】
ここで図１０〜１１を参照すると、ワイヤレス通信システムにおける干渉情報の報告および処理を容易にするそれぞれの装置１０００〜１１００が示されている。装置１０００〜１１００は、機能ブロックを含むものとして表され、こうしたブロックは、プロセッサ、ソフトウェア、またはその組合せ（たとえば、ファームウェア）によって実装される機能を表す機能ブロックでよいことを理解されたい。
【００５３】
最初に図１０に移ると、ワイヤレス通信システムにおける干渉情報の報告および処理を容易にする装置１０００が示されている。装置１０００は、ユーザステーション（たとえば、ＵＥ１１０）および／または別の適切なネットワークエンティティによって実装されてよく、アップリンクおよび／またはダウンリンクノード間協調を実施するように動作可能な、それぞれの関連づけられたネットワークノードを識別するモジュール１００２と、それぞれの非識別ネットワークノードからの受信電力の量を報告するモジュール１００４とを含み得る。
【００５４】
図１１は、ワイヤレス通信システムにおける干渉情報の報告および処理を容易にする別の装置１１００を示す。装置１１００は、所与のユーザ向けのサービングネットワークノード（たとえば、ＵＥ１１０向けのサービングセル１２０）として指定されるネットワークノードおよび／または別の適切なネットワークエンティティによって実装されてよく、１つまたは複数のヌルパイロットを含む、それぞれの関連づけられたユーザデバイス向けの干渉報告スケジュールを規定するモジュール１１０２と、干渉報告スケジュールにおけるそれぞれのヌルパイロット中に送信抑制または電力バックオフの少なくとも一方を実施するモジュール１１０４とを含み得る。
【００５５】
ここで図１２を参照すると、様々な態様による協調マルチポイント通信を容易にするシステム例１２００が示されている。図１２に示すように、システム１２００は、１つまたは複数のネットワークセル１２１０および／または他のネットワークノードを含んでよく、これらは、概して本明細書に記載するように、それぞれのＵＥ１２２０と通信し得る。一態様によると、システム１２００内のそれぞれのセル１２１０は、所与のＵＥ１２２０との通信に関連づけられたデータレートを増すため、および／またはシステム１２００内の他のセル１２１０および／もしくはＵＥ１２２０に対して引き起こされる干渉を削減するために、１つまたは複数の協力戦略に準じて協調し得る。一例では、システム１２００内のそれぞれのセル１２１０は、協調抑制（ＣＳ）、ｅＮｏｄｅＢ間（セル間）パケット共有によるジョイント送信（ＪＴ）、協調ビーム形成（ＣＢＦ）、および／または概して当該分野において公知である他の適切な任意のセル協力技法（１つもしくは複数）など、１つまたは複数のＵＥ１２２０とのアップリンクおよび／またはダウンリンク通信のための様々な協力技法を使用するように動作可能でよい。
【００５６】
別の例では、通信に使用されるべきそれぞれのセル協力技法、このような協力技法に使用されるべきセル１２１０、および協力的通信によりサービスを受けるべきそれぞれのＵＥ１２２０など、システム１２００の様々な動作態様が、それぞれのセル１２１０のユーティリティ計算モジュール１２１２および／または他の適切な機構によって制御され得る。さらに、ユーティリティ計算モジュール１２１２によって行われる判定は、１つもしくは複数のセル１２１０によって（たとえば、ユーティリティ計算モジュール１２１４により）実施される限界ユーティリティ算出および／または他の適切な任意のメトリックによって少なくとも部分的にサポートされ得る。
【００５７】
通常、協力戦略セレクタ１２１４は、セル１２１０によって、ノードクラスタリング、スケジューリング、使用されるべき協力的送信の形などに関するスケジューリング決定を計算する、および／または行うのに使用され得る。協力戦略は、たとえばＵＥ移動度、それぞれのＵＥ１２２０に関連づけられたＣ／Ｉレベル、それぞれのセルの間の迂回中継リンク（backhaul links）の能力などの要因に基づいて、協力タイプセレクタ１２１４によって選択され得る。例として、協力タイプセレクタ１２１４は、高移動性ＵＥおよび／または所与のＵＥ１２２０に関連づけられた急速に変化するチャネル条件のケースにおいて、ＣＳおよび／または別の同様の単純な形のセル協力を選択することができる。さらに、または代替的には、所与のＵＥ１２２０の移動度が低いと判定される、またはＵＥ１２２０に関して高度のアンテナ相関が存在する場合、セル間パケット共有によるＪＴ（たとえば、セル１２１０の間の比較的遅い迂回中継リンクのケース）やＣＢＦ（たとえば、セル１２１０の間の比較的速い迂回中継リンクのケース）など、より高度な協力技法が選択され得る。別の例では、ユーティリティ計算モジュール１２１２および／または協力戦略セレクタ１２１４は、それぞれのＵＥ１２２０から（たとえば、それぞれのＵＥ１２２０にあるフィードバックモジュール１２２２を介して）取得される情報に少なくとも部分的に基づいて動作し得る。
【００５８】
一態様によると、それぞれのＵＥ１２２０に関連づけられた予想速度（projected rate）が、たとえば迂回中継帯域幅、遅延制約などの要因で（たとえば、ユーティリティ計算モジュール１２１２によって）算出され、それぞれの協力技法の間で選択を行うのに活用され得る。たとえば、協力タイプセレクタ１２１４は、関連づけられた先験的および／または長期間の迂回中継リンク分類に基づいて、迂回中継帯域幅（backhaul bandwidth）および遅延不確実性（latency uncertainty）を用いてＪＴ技法を除外し得る。別の例では、送信機（ＣＳＩＴ）側チャネル状態情報の配信遅れおよび正確さ、ならびにスケジューリング遅れおよび／または他の適切な要因が、予想速度算出において考慮に入れられ得る。
【００５９】
具体例として、協力タイプセレクタ１２１４は、１組の協力技法選択規則を以下のように使用することができる。最初に、協力タイプセレクタ１２１４は、長期間の迂回中継リンク分類に基づいてＪＴ技法を除外してよい。さらに、協力タイプセレクタ１２１４は、複合エネルギーＣ／Ｉと最良ノードＣ／Ｉとの比が、予め規定された閾値を下回る場合、ＪＴよりもＣＢＦ技法を検討してよい。さらに、関連づけられたチャネル予測誤差が閾値を上回る場合、協力タイプセレクタ１２１４は、ＣＳを検討してよい（たとえば、ＣＢＦおよび／またはＪＴが可能な場合）。
【００６０】
別の態様によると、ユーティリティ計算モジュール１２１２は、様々な要因に基づいて、ＵＥ単位の予想速度を計算することができる。こうした要因は、たとえば、（たとえば、リンクごとに割り振られる電力および帯域幅リソースを考慮に入れた）使用される協力戦略に関わるそれぞれのリンク用の伝播チャネル、それぞれのＵＥ１２２０での予想ダウンリンク推定誤差に基づくチャネル予測の正確さおよび対応するフィードバック遅れ、空間干渉構造を適用可能として考慮に入れた、協力的および非協力的ネットワークノード（たとえば、セル１２１０および／またはＵＥ１２２０）からの予期される妨害レベル、および／または他の適切などの要因も含み得る。一例では、システム１２００内のそれぞれのＵＥ１２２０は、ダウンリンク推定誤差、フィードバック遅れ、ＵＥ処理損失、干渉ヌル化能力に関する情報、および／またはそれぞれのＵＥ１２２０の動作能力に関する他の情報を、フィードバックモジュール１２２２および／または他の適切な任意の手段によりそれぞれのセル１２１０に提供し得る。
【００６１】
一例では、ユーティリティ計算モジュール１２１２は、送信機側チャネル状態情報（ＣＳＩＴ）に対する様々な要件に基づいて、所与のＵＥ１２２０に対するユーティリティ計算を実施することができる。ＣＳＩＴ要件は、たとえば、所与のＵＥ１２２０に関してそれぞれのセル１２１０によって利用される協力戦略に基づいて変化し得る。具体例として、反復信号処理および／またはＣＢＦに関連づけられたＣＳＩＴ要件は、ＣＳに対するＣＳＩＴ要件の間で実質的に異なり得ることが理解されよう。一例では、セル１２１０は、関連づけられたＣＳＩＴ影響の一次近似を利用するために、中程度から高度の後処理搬送波対干渉（Ｃ／Ｉ）レベルでの正確なＣＳＩＴの仮定を使用し得る。さらに、または代替的には、（たとえば、空間誤差のせいで）実質的に高い誤差影響に出会った場合、ＣＳは、セル１２１０によって、より複雑な信号処理技術よりも好まれ得る。一態様によると、このような技法よりもＣＳが選択される閾値は、本明細書においてさらに詳しく記載するように、チャネル予測の経験測度に基づき得る。
【００６２】
さらに別の態様によると、協力戦略セレクタ１２１４は、それぞれのＵＥ１２２０に関して使用されるべき協力戦略を最適化する、１つまたは複数の戦略ユーティリティ最大化技法を使用することができる。たとえば、１つまたは複数の反復ユーティリティ最大化アルゴリズム（たとえば、反復値付け（iterative pricing）と同様のアルゴリズム）が使用されてよく、このアルゴリズムでは、それぞれのネットワークノード（たとえば、セル１２１０、セル１２１０内部のセクタなど）で、それぞれの候補協力戦略のために反復探索が実施される。一例では、たとえば、様々なノードのビーム係数に対する制約に反映され得る、様々な協力技法制約が検討され得る。別の例では、収束までのそれぞれの反復でそれぞれのビーム荷重をアップデートするのに、一次外延（first order extension）が使用され得る。様々な実装形態において、収束は、様々なやり方で選択され得るアルゴリズム開始点に依存させられ得る。たとえば、開始点は、それぞれの協力ノードに渡るゼロフォーシング（ＺＦ）、最大比合成（ＭＲＣ）および／またはＭＭＳＥベースの手法などにより選択され得る。一例では、ＺＦおよび／またはＭＲＣに加え、電力割当て技法が適用され得る。
【００６３】
次に図１３を参照すると、本明細書に記載する様々な態様による協調マルチポイント通信を容易にするシステム例１３００が示されている。図１３が示すように、システム１３００は、サービングセル（１つまたは複数）１３１０および補助セル（１つまたは複数）１３２０など、１つまたは複数の関連づけられたネットワークセルと通信することができるそれぞれのユーザデバイス１３３０を含み得る。ただし、セル１３１０〜１３２０の機能性は、「サービングセル（１つまたは複数）」１３１０および「補助セル（１つまたは複数）」１３２０という呼称によって含意されることは意図していないことを理解されたい。たとえば、補助セル１３２０は、一部のケースではサービングセル１３１０に加えて、またはその代わりに、ユーザデバイス１３３０に通信圏を提供することによって、ユーザデバイス１３３０にサービス提供し得ることを理解されたい。
【００６４】
一態様によると、それぞれのサービングセル１３１０および補助セル１３２０は、協力して、１つまたは複数のユーザデバイス１３３０とのＮ−ＭＩＭＯまたはＣｏＭＰ通信を実施することができる。たとえば、それぞれのセル１３１０〜１３２０の間、１つもしくは複数のセル１３１０〜１３２０に関連づけられたそれぞれのセクタ、および／または他の適切な任意のネットワークエンティティの間の協力を容易にするのに、様々な技法が使用され得る。このような協力は、たとえば、それぞれのセル１３１０〜１３２０に関連づけられたＴＸ／ＲＸ協調モジュール１３１２および／または他の適切な任意の機構（１つまたは複数）によって容易にされ得る。さらに、ＴＸ／ＲＸ協調モジュール１３１２は、たとえば分割周波数再利用、抑制、協調ビーム形成、ジョイント送信など、適切な任意のネットワーク協力戦略（１つまたは複数）に従って、それぞれのネットワークエンティティの間の協力を容易にし得る。
【００６５】
一例では、ユーザデバイス１３３０への送信が所与のセル１３１０または１３２０から起こる場合、ユーザデバイス１３３０への送信が、隣接するセル１３１０および／または１３２０においてスケジュールされるユーザデバイスに対して直交となる、あるいは実質的に誤ってマッチングされるように所与のセル１３１０または１３２０によってユーザデバイス１３３０にサービス提供するためのビームが選ばれるように、それぞれのセル１３１０〜１３２０からの送信を協調させることによって、それぞれのセル１３１０〜１３２０に関連づけられたネットワークノードの間で協調ビーム形成が指揮され得る。こうすることによって、所望のユーザデバイス１３３０に対するビーム形成利得が実現され得ると同時に、隣接するネットワークデバイスに対する干渉の影響が削減されることが理解されよう。一例では、協調ビーム形成は、スケジューリング、ビーム選択、ユーザ選択（たとえば、隣接するデバイスでの干渉を実質的に制限する望ましいビームを有するユーザデバイス１３３０を選択することによる）などを実施することによって容易にされ得る。
【００６６】
さらに、または代替的には、たとえば、所与のユーザデバイス１３３０への送信用に指定されたリソースをプールし、プールされたリソースを、別個の複数のネットワークノード（たとえば、サービングセル１３１０ならびに補助セル１３２０に対応するノード）を介して送信することによって、複数のネットワークノードと所与のユーザデバイス１３３０との間でジョイント送信が指揮され得る。たとえば、第１のセルが変調記号ｘを第１のユーザに送信し、第２のセルが変調記号ｙを第２のユーザに送信するのではなく、セルは、第１のセルがａｘ＋ｂｙをユーザの一方または両方に送信し、第２のセルがｃｘ＋ｄｙを同じユーザ（１人または複数）に送信するように協力することができ、ここでａ、ｂ、ｃ、ｄは、ユーザの信号対ノイズ比（ＳＮＲ）、システム容量、および／または他の適切な任意のメトリック（１つまたは複数）を最適化するように選ばれた係数である。一例では、異なるセル１３１０〜１３２０に対応するネットワークノードの間でのリソースプーリング（resource pooling）は、セル１３１０〜１３２０の間の迂回中継リンクおよび／または他の適切な任意の機構を介して指揮され得る。別の例では、同様の技法がアップリンクジョイント送信に使用されてよく、ユーザデバイス１３３０は、複数のネットワークノードにデータ、コントロールシグナリング、および／または他の適切な情報を送信するように構成され得る。
【００６７】
一態様によると、アップリンクおよびダウンリンクＣｏＭＰ通信の様々な態様は、それぞれのユーザデバイス１３３０によって提供されるフィードバックに基づき得る。たとえば、それぞれのユーザデバイス１３３０にあるＮ−ＭＩＭＯフィードバックモジュール１３３２が、様々なセル１３１０〜１３２０にフィードバックを提供するのに使用されてよく、こうしたセルは、ユーザフィードバック処理モジュール１３１４および／または他の適切な手段を使用して、システム１３００内で協力的通信を指揮する際にフィードバックを使用することができる。例として、ダウンリンクＣｏＭＰ通信のケースでは、ユーザデバイス（１つまたは複数）１３３０にあるＮ−ＭＩＭＯフィードバックモジュール１３３２は、それぞれのサービングセルならびに隣接する１つまたは複数の非協力的セルのそれぞれのセル１３１０〜１３２０へのチャネル報告を容易にし得る。別の例として、アップリンクＣｏＭＰ通信のケースでは、Ｎ−ＭＩＭＯフィードバックモジュール１３３２は、セル１３１０〜１３２０によって、対応するアップリンク送信からの干渉の除去を容易にするのに使用され得る、セル１３１０〜１３２０へのそれぞれスケジュールされたアップリンク送信と組み合わせて、フィードバック情報をそれぞれのセル１３１０〜１３２０に提供し得る。
【００６８】
図１４に移ると、例示的なワイヤレス通信システム１４００が示されている。一例では、システム１４００は、数人のユーザをサポートするように構成することができ、このシステムにおいて、開示する様々な実施形態および態様が実装され得る。図１４に示すように、例として、システム１４００は、複数のセル１４０２（たとえば、マクロセル１４０２ａ〜１４０２ｇ）に通信を提供することができ、それぞれのセルは、対応するアクセスポイント（ＡＰ）１４０４（たとえば、ＡＰ１４０４ａ〜１４０４ｇ）によってサービス提供される。一例では、１つまたは複数のセルは、それぞれのセクタ（図示せず）にさらに分割され得る。
【００６９】
図１４がさらに示すように、ＡＴ１４０６ａ〜１４０６ｋを含む様々なアクセス端末（ＡＴ）１４０６は、システム１４００全体に分散され得る。一例では、ＡＴ１４０６は、ＡＴがアクティブであるかどうか、およびソフトハンドオフおよび／または別の同様の状態にあるかに応じて、所与の瞬間に順方向リンク（ＦＬ）および／または逆方向リンク（ＲＬ）で１つまたは複数のＡＰ１４０４と通信し得る。本明細書および一般的に当該分野において使用されるように、ＡＴ１４０６は、ユーザ機器（ＵＥ）、移動体端末、および／または他の適切な任意の学術用語でも呼ばれ得る。一態様によると、システム１４００は、実質的に大きな地理領域に渡ってサービスを提供し得る。たとえば、マクロセル１４０２ａ〜１４０２ｇは、近隣および／または別の同様に適切なカバーエリア内の複数のブロックに受信圏を提供し得る。
【００７０】
ここで図１５を参照すると、本明細書に記載する様々な態様がその中で機能し得るワイヤレス通信システム例１５００を示すブロック図が示されている。一例では、システム１５００は、送信システム１５１０および受信システム１５５０を含む多重入出力（ＭＩＭＯ）システムである。ただし、送信システム１５１０および／または受信システム１５５０は、多入力単出力システムにも適用されてよく、ここでは、たとえば、（たとえば、基地局上の）複数の送信アンテナは、単一アンテナデバイス（たとえば、移動局）に１つまたは複数のシンボルストリーム（symbol streams）を送信し得ることを理解されたい。さらに、本明細書に記載する送信システム１５１０および／または受信システム１５５０の態様は、単出力単入力アンテナシステムに関連して使用され得ることを理解されたい。
【００７１】
一態様によると、いくつかのデータストリーム用のトラヒックデータが、送信システム１５１０の所で、データソース１５１２から送信（ＴＸ）データプロセッサ１５１４に与えられる。一例では、各データストリームは次いで、それぞれの送信アンテナ１５２４を介して送信され得る。さらに、ＴＸデータプロセッサ１５１４は、符号化データを与えるために、それぞれの各データストリーム向けに選択されたある特定の符号化スキームに基づいて、各データストリーム用にトラヒックデータをフォーマットし、符号化し、インタリーブし得る。一例では、各データストリーム用の符号化データは次いで、ＯＦＤＭ技法を用いてパイロットデータで多重化され得る。パイロットデータは、たとえば、公知のやり方で処理された公知のデータパターンでよい。さらに、パイロットデータは、受信システム１５５０の所で、チャネル応答を推定するのに使われ得る。送信システム１５１０に戻ると、各データストリームに対する多重化パイロットおよび符号化データは、変調記号を与えるために、それぞれの各データストリーム用に選択されたある特定の変調スキーム（たとえば、ＢＰＳＫ、ＱＳＰＫ、Ｍ−ＰＳＫ、またはＭ−ＱＡＭ）に基づいて変調され（すなわち、記号マッピングされ）得る。一例では、各データストリーム向けのデータレート、符号化、および変調は、プロセッサ１５３０上で実施される、および／またはプロセッサ１５３０によって提供される命令によって判定され得る。
【００７２】
次に、すべてのデータストリーム用の変調記号が、ＴＸプロセッサ１５２０に与えられてよく、プロセッサ１５２０は、変調記号を（たとえば、ＯＦＤＭ用に）さらに処理することができる。ＴＸ  ＭＩＭＯプロセッサ１５２０は次いで、ＮT個の変調シンボルストリームをＮT個のトランシーバ１５２２ａ〜１５２２ｔに与え得る。一例では、各トランシーバ１５２２は、それぞれのシンボルストリームを受信し処理して、１つまたは複数のアナログ信号を与えることができる。各トランシーバ１５２２は次いで、さらにアナログ信号を調節して（たとえば、増幅し、フィルタリングし、アップコンバートして）、ＭＩＭＯチャネルを介した送信に適した変調信号を与えることができる。したがって、トランシーバ１５２２ａ〜１５２２ｔからのＮT個の変調信号は次いで、それぞれ、ＮT個のアンテナ１５２４ａ〜１５２４ｔから送信され得る。
【００７３】
別の態様によると、送信された変調信号は、受信システム１５５０の所でＮR個のアンテナ１５５２ａ〜１５５２ｒによって受信され得る。各アンテナ１５５２からの受信信号は次いで、それぞれのトランシーバ１５５４に与えられ得る。一例では、各トランシーバ１５５４は、それぞれの受信信号を調節し（たとえば、フィルタリングし、増幅し、ダウンコンバートし）、調節された信号をディジタル化して、サンプルを与えることができ、次いで、サンプルを処理して、対応する「受信」シンボルストリームを与える。ＲＸ  ＭＩＭＯ／データプロセッサ１５６０は次いで、ある特定の受信機処理技法に基づいて、ＮR個のトランシーバ１５５４からＮR個の受信シンボルストリームを受信し、処理して、ＮT個の「検出」シンボルストリームを与えることができる。一例では、各検出シンボルストリームは、対応するデータストリーム用に送信される変調記号の推定である記号を含み得る。ＲＸプロセッサ１５６０は次いで、各検出シンボルストリームを少なくとも部分的には、復調し、デインターリーブし、復号することによって各シンボルストリームを処理して、対応するデータストリーム用のトラヒックデータを復元することができる。したがって、ＲＸプロセッサ１５６０による処理は、送信システム１５１０の所でＴＸ  ＭＩＭＯプロセッサ１５２０およびＴＸデータプロセッサ１５１６によって実施される処理に対して補完的でよい。ＲＸプロセッサ１５６０はさらに、処理されたシンボルストリームをデータシンク１５６４に与え得る。
【００７４】
一態様によると、ＲＸプロセッサ１５６０によって生成されるチャネル応答推定は、受信機で空間／時間処理を実施し、電力レベルを協調し、変調レートもしくはスキームを変更し、および／または他の適切なアクションに使われ得る。さらに、ＲＸプロセッサ１５６０は、たとえば、検出されたシンボルストリームの信号対ノイズおよび干渉比（ＳＮＲ）などのチャネル特性をさらに推定することができる。ＲＸプロセッサ１５６０は次いで、推定チャネル特性をプロセッサ１５７０に与えればよい。一例では、ＲＸプロセッサ１５６０および／またはプロセッサ１５７０は、システムに対する「オペレーティング」ＳＮＲの推定値をさらに導出することができる。プロセッサ１５７０は次いで、チャネル状態情報（ＣＳＩ）を提供することができるが、この情報は、通信リンクおよび／または受信データストリームに関する情報を備え得る。この情報は、たとえば、オペレーティングＳＮＲを含み得る。ＣＳＩは次いで、ＴＸデータプロセッサ１５１８によって処理され、変調装置１５８０によって変調され、トランシーバ１５５４ａ〜１５５４ｒによって調節され、送信システム１５１０に返送され得る。さらに、受信システム１５５０にあるデータソース１５１２は、ＴＸデータプロセッサ１５１８によって処理されるべき追加データを与え得る。
【００７５】
送信システム１５１０に戻ると、受信システム１５５０からの変調信号は次いで、アンテナ１５２４によって受信され、トランシーバ１５２２によって調節され、復調装置１５４０によって復調され、ＲＸデータプロセッサ１５４２によって処理されて、受信システム１５５０によって報告されたＣＳＩが復元され得る。一例では、報告されたＣＳＩは次いで、プロセッサ１５３０に与えられ、１つまたは複数のデータストリーム用に使われるべきデータレートならびに符号変調スキームを判定するのに使われ得る。判定された符号変調スキームは次いで、量子化のため、および／または受信システム１５５０への今後の送信において使用するためにトランシーバ１５２２に与えられ得る。さらに、および／または代替的には、報告されたＣＳＩは、プロセッサ１５３０によって、ＴＸデータプロセッサ１５１４およびＴＸ  ＭＩＭＯプロセッサ１５２０向けの様々なコントロールを生成するのに使われ得る。別の例では、ＲＸデータプロセッサ１５４２によって処理されるＣＳＩおよび／または他の情報は、データシンク１５４４に与えられ得る。
【００７６】
一例では、送信システム１５１０にあるプロセッサ１５３０および受信システム１５５０にあるプロセッサ１５７０は、それぞれのシステムでの操作を指令する。さらに、送信システム１５１０にあるメモリ１５３２および受信システム１５５０にあるメモリ１５７２は、それぞれ、プロセッサ１５３０、１５７０によって使われるプログラムコードおよびデータのための記憶領域を与え得る。さらに、受信システム１５５０では、ＮR個の受信信号を処理して、ＮT個の送信シンボルストリームを検出するのに様々な処理技法が用いられ得る。こうした受信機処理技法は、空間および時空受信機処理技法を含み得るが、こうした技法は、等化技法、および／または「連続的ヌル化／等化および干渉除去」受信機処理技法とも呼ぶことができ、こうした技法は、「連続的干渉除去」または「連続的除去」受信機処理技法とも呼ぶことができる。
【００７７】
図１６は、ネットワーク環境におけるアクセスポイント基地局の展開を可能にする通信システム例１６００を示す。図１６に示すように、システム１６００は、たとえば、ＨＮＢ１６１０などの多重アクセスポイント基地局（たとえば、フェムトセルやホームノードＢユニット（ＨＮＢ））を含み得る。一例では、それぞれのＨＮＢ１６１０は、たとえば、１つまたは複数のユーザ住居１６３０など、対応する小規模ネットワーク環境に設置され得る。さらに、それぞれのＨＮＢ１６１０は、関連づけられた、および／または外部のＵＥ（１つまたは複数）１６２０にサービス提供するように構成され得る。一態様によると、それぞれのＨＮＢ１６１０は、ＤＳＬルータ、ケーブルモデム、および／または別の適切なデバイス（図示せず）を介してインターネット１６４０および移動通信事業者コアネットワーク１６５０に結合され得る。一態様によると、フェムトセルまたはＨＮＢ１６１０の所有者は、たとえば、移動通信事業者コアネットワーク１６５０を通して提供される、３Ｇ／４Ｇ移動体サービスなどの移動体サービスに加入することができる。したがって、ＵＥ１６２０は、マクロセルラー環境１６６０および住居用小規模ネットワーク環境両方において動作することが可能にされ得る。
【００７８】
一例では、ＵＥ１６２０は、マクロセル移動体ネットワーク１６６０に加えて、フェムトセルまたはＨＮＢ１６１０（たとえば、対応するユーザ住居１６３０内部にあるＨＮＢ１６１０）のセットによってサービス提供され得る。本明細書および一般的に当該分野において使用するように、ホームフェムトセルとは、ＡＴまたはＵＥが動作することを認められる基地局であり、ゲストフェムトセルは、ＡＴまたはＵＥが動作することを一時的に認められる基地局を指し、外部フェムトセルとは、ＡＴまたはＵＥが動作することを認められていない基地局である。一態様によると、フェムトセルまたはＨＮＢ１６１０は、それぞれのマクロセル周波数とオーバーラップし得る、単一の周波数または複数の周波数で展開され得る。
【００７９】
本明細書に記載した態様は、ハードウェア、ソフトウェア、ファームウェア、ミドルウェア、マイクロコード、またはこれらの任意の組合せによって実装され得ることを理解されたい。システムおよび／または方法は、ソフトウェア、ファームウェア、ミドルウェアまたはマイクロコード、プログラムコードもしくはコードセグメントで実装される場合、記憶要素などのマシン可読媒体に格納され得る。コードセグメントは、プロシージャ、関数、サブプログラム、プログラム、ルーチン、サブルーチン、モジュール、ソフトウェアパッケージ、クラス、または命令、データ構造、もしくはプログラムステートメントのどの組合せも表し得る。コードセグメントは、情報、データ、引数、パラメータ、またはメモリ内容を引き渡す、および／または受信することによって、別のコードセグメントまたはハードウェア回路に結合され得る。情報、引数、パラメータ、データなどは、メモリ共有、メッセージ引渡し、トークン引渡し、ネットワーク送信などを含む適切などの手段を用いても引き渡され得る、フォワードされ得る、または送信され得る。
【００８０】
ソフトウェア実装に関して、本明細書に記載した技法は、本明細書に記載した機能を実施するモジュール（たとえば、プロシージャ、関数など）とともに実装され得る。ソフトウェアコードは、メモリユニットに格納し、プロセッサによって実行することができる。メモリユニットは、プロセッサ内部でもプロセッサ外部でも実装することができ、いずれのケースでも、当該分野において公知であるように、様々な手段によりプロセッサに通信可能に結合され得る。
【００８１】
上記説明内容は、１つまたは複数の態様の例を含む。当然ながら、上述した態様を説明する目的で、構成要素または方式のあらゆる組合せを説明することはできないが、様々な態様のさらに多くの組合せおよび置換が可能であることが、当業者には理解できよう。したがって、記載した態様は、添付の請求項の精神および範囲内であるこのようなすべての変更形態、修正形態、および変形形態を包含することを意図したものである。さらに、詳細な説明または請求項で「含む」という用語が使われている限りでは、請求項で移行語として解釈されるときに「備える」がそう解釈されるように、「備える」という用語と同様に包括的であることを意図している。さらに、詳細な説明または請求項において使われる「または」という用語は、「非排他的または」であることを意味する。
以下に、本願出願当初の特許請求の範囲に記載された発明を付記する。
［１］  サイト間協調で通信を指揮するように動作可能なネットワークセルのセットを識別すること、
前記識別されたネットワークセルのセットに関連づけられていないそれぞれのネットワークセルからの受信電力の量を測定すること、および
前記識別されたネットワークセルのセット中の１つまたは複数のネットワークセルに、受信電力の測定量を報告すること
を備える方法。
［２］  前記識別されたネットワークセルのセット中のそれぞれのネットワークセルに対応するチャネルに関連づけられたチャネル品質を観察すること、および
観察されたチャネル品質の１つまたは複数の報告を、それぞれ対応するネットワークセルに提供すること
をさらに備える、［１］に記載の方法。
［３］  前記測定することが、主干渉ネットワークセルを識別することを備え、
前記報告することが、前記主干渉ネットワークセルの識別を、前記識別されたネットワークセルのセット中の１つまたは複数のネットワークセルに報告することを備える、
［１］に記載の方法。
［４］  前記方法が、複数の送信アンテナをそれぞれが備える１つまたは複数の干渉ネットワークセルを識別することをさらに備え、
前記測定することが、前記１つまたは複数の干渉ネットワークセルのそれぞれの送信アンテナの間の相関を計算することを備え、
前記報告することが、１つまたは複数の干渉ネットワークセルのそれぞれの送信アンテナの間の計算された相関に関する情報を、前記識別されたネットワークセルのセット中の１つまたは複数のネットワークセルに報告することを備える、
［１］に記載の方法。
［５］  前記１つまたは複数の干渉ネットワークセルが、主要干渉ネットワークセルを備える、［４］に記載の方法。
［６］  前記報告することが、
前記１つまたは複数の干渉ネットワークセルのそれぞれの送信アンテナの間の計算された相関に基づいて、１つまたは複数の干渉ネットワークセルに対して利用可能な干渉ヌル化の量を判定すること、および
前記判定された量の利用可能な干渉ヌル化の適用に基づいて、予想通信速度を推定すること、および
前記識別されたネットワークセルのセット中の１つまたは複数のネットワークセルに、前記予想速度を報告すること
をさらに備える、［４］に記載の方法。
［７］  前記報告することが、
複数の関連づけられた受信アンテナを識別すること、
前記複数の関連づけられた受信アンテナを介して、１つまたは複数の干渉ネットワークセルに対して利用可能な受信機干渉ヌル化の量を判定すること、および
受信機干渉ヌル化の前記判定された量を、前記識別されたネットワークセルのセット中の１つまたは複数のネットワークセルに報告すること
をさらに備える、［４］に記載の方法。
［８］  受信機干渉ヌル化の前記判定された量を前記報告することが、
前記判定された量の受信機干渉ヌル化の適用に基づいて、予想通信速度を推定すること、および
前記識別されたネットワークセルのセット中の１つまたは複数のネットワークセルに前記予想速度を報告すること
を備える、［７］に記載の方法。
［９］  前記報告することが、
受信電力の前記測定量に基づいて、予想通信速度を推定すること、および
前記識別されたネットワークセルのセット中の１つまたは複数のネットワークセルに、前記予想速度を報告すること
を備える、［１］に記載の方法。
［１０］  前記報告することが、レイヤ１（Ｌ１）シグナリングを用いて、１つまたは複数のネットワークセルに受信電力の測定量を報告することを備える、［１］に記載の方法。
［１１］  前記報告することが、レイヤ３（Ｌ３）シグナリングを用いて、１つまたは複数のネットワークセルに受信電力の測定量を報告することを備える、［１］に記載の方法。
［１２］  前記測定することが、前記識別されたネットワークセルのセットに関連づけられていないそれぞれのネットワークセルからブロードキャストされる基準信号または同期信号の１つまたは複数に関連づけられた受信電力の量を測定することを備える、［１］に記載の方法。
［１３］  前記測定することが、
ネットワークセルからブロードキャストされる基準信号または同期信号の少なくとも一方の中の負荷インジケータを識別すること、
前記負荷インジケータに少なくとも部分的に基づいて、前記ネットワークセルの負荷を判定すること、および
前記ネットワークセルの負荷に応じて、前記ネットワークセルによって引き起こされる干渉を推定すること
をさらに備える、［１２］に記載の方法。
［１４］  負荷インジケータを前記識別することが、基準信号または同期信号のプリアンブル中の負荷インジケータを識別することを備える、［１３］に記載の方法。
［１５］  前記測定することが、前記識別されたネットワークセルのセットに関連づけられていないそれぞれのネットワークセルによって伝達される基準シグナリング、一次同期信号（ＰＳＳ）、二次同期信号（ＳＳＳ）、または低再利用プリアンブル（ＬＲＰ）シグナリングの少なくとも１つに関連づけられた受信電力の量を測定することを備える、［１］に記載の方法。
［１６］  ノード間協調で通信を指揮するように動作可能なサービングネットワークノードのセットに関するデータを格納するメモリと、
前記サービングネットワークノードセットに関連づけられていないそれぞれのネットワークノードからの受信電力の量を測定し、１つまたは複数のサービングネットワークノードに受信電力の測定量を報告するように構成されたプロセッサと
を備えるワイヤレス通信装置。
［１７］  前記プロセッサが、それぞれのサービングネットワークノードに対応するチャネルの品質を分析し、分析されたチャネル品質の１つまたは複数の報告を、それぞれ対応するサービングネットワークノードに提供するようにさらに構成される、［１６］に記載のワイヤレス通信装置。
［１８］  前記メモリが、１つまたは複数の干渉ネットワークノードに関するデータをさらに格納し、前記１つまたは複数の干渉ネットワークノードがそれぞれ複数の送信アンテナを備え、
前記プロセッサが、前記１つまたは複数の干渉ネットワークノードのそれぞれの送信アンテナの間の相関を計算し、それぞれの干渉ネットワークノードの送信アンテナの間のそれぞれの計算された相関を１つまたは複数のサービングネットワークノードに報告するようにさらに構成される、
［１６］に記載のワイヤレス通信装置。
［１９］  前記１つまたは複数の干渉ネットワークノードが、主要干渉ネットワークノードを備える、請求項１８に記載のワイヤレス通信装置。
［２０］  前記プロセッサが、それぞれの干渉ネットワークノードの送信アンテナの間のそれぞれの計算された相関に基づいて１つまたは複数の干渉ネットワークノードに対して利用可能な干渉ヌル化の量を判定し、前記判定された量の利用可能な干渉ヌル化の適用に関連づけられた予想通信速度を推定し、前記予想速度を１つまたは複数のサービングネットワークノードに報告するようにさらに構成される、［１８］に記載のワイヤレス通信装置。
［２１］  前記メモリが、複数の関連づけられた受信アンテナに関するデータをさらに格納し、
前記プロセッサが、前記複数の関連づけられた受信アンテナを介して１つまたは複数の干渉ネットワークノードに対して利用可能な受信機干渉ヌル化の量を判定し、受信機干渉ヌル化の前記判定された量を１つまたは複数のサービングネットワークノードに報告するようにさらに構成される、
［１８］に記載のワイヤレス通信装置。
［２２］  前記プロセッサが、前記判定された量の受信機干渉ヌル化の適用に基づいて予想通信速度を推定し、少なくとも部分的に前記予想通信速度を１つまたは複数のサービングネットワークノードに報告することによって、受信機干渉ヌル化の前記判定された量を暗黙的に報告するようにさらに構成される、［２１］に記載のワイヤレス通信装置。
［２３］  前記プロセッサが、レイヤ１（Ｌ１）シグナリングまたはレイヤ３（Ｌ３）シグナリングの少なくとも一方を使って、受信電力の測定量を１つまたは複数のサービングネットワークノードに報告するようにさらに構成される、［１６］に記載のワイヤレス通信装置。
［２４］  前記プロセッサが、前記ネットワークノードからブロードキャストされる基準信号または同期信号の少なくとも１つに基づいて、前記サービングネットワークノードセットに関連づけられていないネットワークノードからの受信電力の量を測定するようにさらに構成される、［１６］に記載のワイヤレス通信装置。
［２５］  前記プロセッサが、ネットワークノードによってブロードキャストされる基準信号または同期信号の少なくとも１つの中で与えられる負荷インジケータを識別し、前記負荷インジケータに従って前記ネットワークノードの負荷を判定し、前記ネットワークノードによって引き起こされる干渉を前記ネットワークノードの負荷に応じて推定するようにさらに構成される、［２４］に記載のワイヤレス通信装置。
［２６］  前記負荷インジケータが、基準信号または同期信号のプリアンブル中で与えられる、［２４］に記載のワイヤレス通信装置。
［２７］  前記プロセッサが、前記ネットワークノードによって伝達され前記ワイヤレス通信装置によって検出される、基準シグナリング、一次同期信号（ＰＳＳ）、二次同期信号（ＳＳＳ）、または低再利用プリアンブル（ＬＲＰ）シグナリングの少なくとも１つに少なくとも部分的に基づいて、ネットワークノードからの受信電力の量を測定するようにさらに構成される、［１６］に記載のワイヤレス通信装置。
［２８］  ノード間協調を用いて、アップリンク通信またはダウンリンク通信の少なくとも一方を実施するように動作可能な、関連づけられたネットワークノードのセットを識別するための手段と、
前記関連づけられたネットワークノードセットに関連づけられていないそれぞれのネットワークノードに対応する受信電力の量を報告するための手段と
を備える装置。
［２９］  それぞれの関連づけられたネットワークノードに対応するチャネルに関連づけられたチャネル品質を観察するための手段と、
観察されたチャネル品質の１つまたは複数の報告を、それぞれ対応する関連づけられたネットワークノードに提供するための手段と
をさらに備える、［２８］に記載の装置。
［３０］  前記機器が、複数の送信アンテナを有する１つまたは複数の干渉ネットワークノードを識別するための手段をさらに備え、
報告するための前記手段が、前記１つまたは複数の干渉ネットワークノードのそれぞれの送信アンテナの間の相関を、それぞれの関連づけられたネットワークノードに報告するための手段を備える、
［２８］に記載の装置。
［３１］  報告するための前記手段が、
前記それぞれの干渉ネットワークノードの送信アンテナの間の計算された相関に基づいて、それぞれの干渉ネットワークノードに対して干渉ヌル化の利用可能な量を判定するための手段と、
前記利用可能な量の干渉ヌル化の適用に関連づけられた予想通信速度を推定するための手段と、
前記予想通信速度を、１つまたは複数の関連づけられたネットワークノードに報告するための手段と
をさらに備える、［３０］に記載の装置。
［３２］  報告するための前記手段が、
複数の関連づけられた受信アンテナを識別するための手段と、
前記複数の関連づけられた受信アンテナを介して、それぞれの干渉ネットワークノードに対して受信機干渉ヌル化の利用可能な量を判定するための手段と、
前記判定された量の受信機干渉ヌル化の適用に関連づけられた予想通信速度を推定するための手段と、
前記予想通信速度を、１つまたは複数の関連づけられたネットワークノードに報告するための手段と
をさらに備える、［３０］に記載の装置。
［３３］  報告するための前記手段が、レイヤ１（Ｌ１）シグナリングまたはレイヤ３（Ｌ３）シグナリングの少なくとも一方を用いて１つまたは複数の報告を関連づけられたネットワークノードに提供するための手段を備える、［２８］に記載の装置。
［３４］  前記ネットワークノードからブロードキャストされる基準信号または同期信号の少なくとも１つに基づいてネットワークノードに対応する受信電力の量を測定するための手段をさらに備える、［２８］に記載の装置。
［３５］  測定するための前記手段が、
前記ネットワークノードからブロードキャストされる基準信号または同期信号の少なくとも１つの中の負荷インジケータを識別するための手段と、
前記負荷インジケータに基づいて前記ネットワークノードの負荷を判定するための手段と、
前記ネットワークノードによって引き起こされる干渉を前記ネットワークノードの負荷に応じて推定するための手段と
を備える、［３４］に記載の装置。
［３６］  測定するための前記手段が、前記ネットワークノードによって伝達される基準シグナリング、一次同期信号（ＰＳＳ）、二次同期信号（ＳＳＳ）、または低再利用プリアンブル（ＬＲＰ）シグナリングの少なくとも１つに基づいて、ネットワークノードに対応する受信電力の量を測定するための手段を備える、［３４］に記載の装置。
［３７］  ノード間協調を用いてアップリンク通信またはダウンリンク通信の少なくとも一方を実施するように動作可能な関連づけられたネットワークノードのセットをコンピュータに識別させるコードと、
前記関連づけられたネットワークノードセットに関連づけられていないそれぞれのネットワークノードに対応する受信電力の量をコンピュータに報告させるコードと
を備えるコンピュータ可読媒体を備えるコンピュータプログラム製品。
［３８］  前記コンピュータ可読媒体が、
それぞれの関連づけられたネットワークノードに対応するチャネルに関連づけられたチャネル品質をコンピュータに観察させるコードと、
コンピュータに、観察されたチャネル品質の１つまたは複数の報告を、それぞれ対応する関連づけられたネットワークノードに提供させるコードと
をさらに備える、［３７］に記載のコンピュータプログラム製品。
［３９］  前記コンピュータ可読媒体が、複数の送信アンテナを有する１つまたは複数の干渉ネットワークノードをコンピュータに識別させるコードをさらに備え、
コンピュータに報告させるコードが、コンピュータに、前記１つまたは複数の干渉ネットワークノードのそれぞれの送信アンテナの間の相関を、それぞれの関連づけられたネットワークノードに報告させるコードを備える、
［３７］に記載のコンピュータプログラム製品。
［４０］  コンピュータに報告させる前記コードが、コンピュータに、レイヤ１（Ｌ１）シグナリングまたはレイヤ３（Ｌ３）シグナリングの少なくとも一方を用いて１つまたは複数の報告を関連づけられたネットワークノードに提供させるコードを備える、［３７］に記載のコンピュータプログラム製品。
［４１］  前記コンピュータ可読媒体が、前記ネットワークノードからブロードキャストされる基準信号または同期信号の少なくとも１つに基づいてネットワークノードに対応する受信電力の量をコンピュータに測定させるコード
をさらに備える、［３７］に記載のコンピュータプログラム製品。
［４２］  コンピュータに測定させる前記コードが、
コンピュータに、前記ネットワークノードからブロードキャストされる基準信号または同期信号中で与えられる負荷インジケータに少なくとも部分的に基づいて、前記ネットワークノードの負荷を判定させるコードと、
コンピュータに、前記ネットワークノードによって引き起こされる干渉を、前記ネットワークノードの負荷に応じて推定させるコードと
を備える、［４１］に記載のコンピュータプログラム製品。
［４３］  コンピュータに測定させる前記コードが、コンピュータに、前記ネットワークノードによって伝達される基準シグナリング、一次同期信号（ＰＳＳ）、二次同期信号（ＳＳＳ）、または低再利用プリアンブル（ＬＲＰ）シグナリングの少なくとも１つに基づいて、ネットワークノードに対応する受信電力の量を測定させるコードを備える、［４１］に記載のコンピュータプログラム製品。
［４４］  １つまたは複数の関連づけられたユーザ機器ユニット（ＵＥ）向けの干渉報告スケジュールを規定すること、
前記干渉報告スケジュールにおいてそれぞれのヌルパイロット間隔をスケジュールすること、および
前記干渉報告スケジュールにおいてスケジュールされたヌルパイロット間隔が出現すると、制限された送信を指揮すること
を備える方法。
［４５］  前記制限された送信を指揮することが、スケジュールされたヌルパイロット間隔が出現すると送信を抑制することを備える、［４４］に記載の方法。
［４６］  前記制限された送信を指揮することが、スケジュールされたヌルパイロット間隔が出現すると予め規定された電力バックオフ値だけ送信電力を削減することを備える、［４４］に記載の方法。
［４７］  ヌルパイロット間隔の出現に続いて、ＵＥから干渉報告を取得すること、および
前記干渉報告に少なくとも部分的に基づいて、前記ＵＥとの通信のためにそれぞれのネットワークノードに渡って使用されるべき協調戦略を選択すること
をさらに備える、［４４］に記載の方法。
［４８］  １つまたは複数のユーザデバイスに関するデータおよび前記１つまたは複数のユーザデバイスに関連づけられた干渉報告スケジュールを格納するメモリと、
前記それぞれのヌルパイロット間隔と実質的に同時に起こる通信に対して制限が実施されるように、前記干渉報告スケジュールにおいてそれぞれのヌルパイロット間隔を規定するように構成されたプロセッサと
を備えるワイヤレス通信装置。
［４９］  前記プロセッサが、前記それぞれのヌルパイロット間隔と実質的に同時に起こるそれぞれの送信を抑制するようにさらに構成される、［４８］に記載のワイヤレス通信装置。
［５０］  前記プロセッサが、前記それぞれのヌルパイロット間隔と実質的に同時に起こるそれぞれの送信の送信電力を削減するようにさらに構成される、［４８］に記載のワイヤレス通信装置。
［５１］  前記プロセッサが、ヌルパイロット間隔が完了するとユーザデバイスから干渉フィードバックを受信し、前記干渉フィードバックに基づいて、前記ユーザデバイスとの通信のために、前記ワイヤレス通信装置と１つまたは複数の協力ネットワークセルとの間で使用されるべき協調戦略を選択するようにさらに構成される、［４８］に記載のワイヤレス通信装置。
［５２］  それぞれの関連づけられたユーザデバイス向けの干渉報告スケジュールを規定するための手段、ここで前記干渉報告スケジュールが１つまたは複数のヌルパイロットを含む、と、
前記干渉報告スケジュールにおいてそれぞれのヌルパイロットが出現すると、送信抑制または送信電力バックオフの少なくとも一方を実施するための手段と
を備える装置。
［５３］  ヌルパイロットの出現に続いて、ユーザデバイスから干渉フィードバックを受信するための手段と、
前記干渉フィードバックに少なくとも部分的に基づいて、前記ユーザデバイスとの通信のために、それぞれの協力ネットワークノードの間で使用されるべき協調戦略を選択するための手段と
をさらに備える、［５２］に記載の装置。
［５４］  それぞれの関連づけられたユーザ機器ユニット（ＵＥ）向けの干渉報告スケジュールをコンピュータに規定させるコード、ここで前記干渉報告スケジュールは１つまたは複数のヌルパイロットを含む、と、
前記干渉報告スケジュールにおいてそれぞれのヌルパイロットが出現する際に送信抑制または送信電力バックオフの少なくとも一方をコンピュータに指揮させるコードと
を備えるコンピュータ可読媒体を備えるコンピュータプログラム製品。
［５５］  前記コンピュータ可読媒体が、
ヌルパイロットの出現に続いてＵＥから干渉フィードバックをコンピュータに受信させるコードと、
前記干渉フィードバックに基づいて前記ＵＥとの通信に使用されるべきノード間協調戦略をコンピュータに選択させるコードと
をさらに備える、［５４］に記載のコンピュータプログラム製品。
【図１】
0005642688.tif 000002
【図２】
0005642688.tif 000003
【図３】
0005642688.tif 000004
【図４】
0005642688.tif 000005
【図５】
0005642688.tif 000006
【図６】
0005642688.tif 000007
【図７】
0005642688.tif 000008
【図８】
0005642688.tif 000009
【図９】
0005642688.tif 000010
【図１０】
0005642688.tif 000011
【図１１】
0005642688.tif 000012
【図１２】
0005642688.tif 000013
【図１３】
0005642688.tif 000014
【図１４】
0005642688.tif 000015
【図１５】
0005642688.tif 000016
【図１６】
0005642688.tif 000017